(57)【要約】  本願はリソース割り当て方法、装置、システム及びコンピュータ可読記憶媒体を提供し、通信分野に関する。前記方法は、基地局が送信したダウンリンク制御情報（ＤＣＩ）を受信し、ＤＣＩは基地局がユーザー装置（ＵＥ）に割り当てたアップリンク認可リソースを識別することに用いられることと、アップリンク認可リソースがターゲットリソースである場合、アップリンク認可リソースを優先的に使用して第一論理チャネルにおけるターゲット論理チャネルのデータを伝送することと、を含み、ターゲット論理チャネルは１つの伝送特徴のみが設定される論理チャネルであり、ターゲットリソースは対応する伝送特徴とターゲット論理チャネルに設定された伝送特徴とが同じであるアップリンク認可リソースである。本願によれば、一種のアップリンク認可リソースのみでデータをベアリングできる論理チャネルにおけるデータを優先的に伝送でき、それにより該一種のアップリンク認可リソースのみでデータをベアリングできる論理チャネルに対応するサービスのサービス品質を確保する。
2020536401.tif 000002
【特許請求の範囲】
【請求項１】
基地局が送信したダウンリンク制御情報（ＤＣＩ）を受信し、前記ＤＣＩは前記基地局がユーザー装置（ＵＥ）に割り当てたアップリンク認可リソースを識別することに用いられ、前記アップリンク認可リソースが１つの伝送特徴に対応し、前記アップリンク認可リソースは第一論理チャネルのデータをベアリングすることに用いられ、前記第一論理チャネルに設定された伝送特徴は前記アップリンク認可リソースに対応する伝送特徴を含むことと、
前記アップリンク認可リソースがターゲットリソースである場合、前記アップリンク認可リソースを優先的に使用して前記第一論理チャネルにおけるターゲット論理チャネルのデータを伝送することと、を含み、
前記ターゲット論理チャネルは１つの伝送特徴のみが設定される論理チャネルであり、前記ターゲットリソースは対応する伝送特徴と前記ターゲット論理チャネルに設定された伝送特徴とが同じであるアップリンク認可リソースであることを特徴とするリソース割り当て方法。
【請求項２】
前記ＤＣＩに前記アップリンク認可リソースに対応するチャネル識別子が含まれる場合、前記アップリンク認可リソースが前記ターゲットリソースであることを確定することを更に含み、
前記チャネル識別子はターゲット論理チャネルを識別することに用いられることを特徴とする請求項１に記載の方法。
【請求項３】
前記アップリンク認可リソースを優先的に使用して前記第一論理チャネルにおけるターゲット論理チャネルのデータを伝送することは、
前記アップリンク認可リソースを優先的に使用して、前記チャネル識別子によって識別されたターゲット論理チャネルにおけるデータを伝送することを含むことを特徴とする請求項２に記載の方法。
【請求項４】
前記ＤＣＩが前記アップリンク認可リソースの物理層伝送パラメータを含み、前記方法は更に、
前記ＤＣＩに基づいて前記アップリンク認可リソースの物理層伝送パラメータを取得することと、
前記アップリンク認可リソースの物理層伝送パラメータに基づいて、前記アップリンク認可リソースが前記ターゲットリソースであるかどうかを判断することと、を含むことを特徴とする請求項１に記載の方法。
【請求項５】
前記伝送特徴が１つの物理層伝送パラメータセットに対応し、前記ＵＥに第一マッピング関係が記憶され、前記第一マッピング関係が伝送特徴識別子と物理層伝送パラメータセットとのマッピング関係であり、前記ＵＥにおける各論理チャネルの設定情報が伝送特徴識別子を含み、前記アップリンク認可リソースの物理層伝送パラメータに基づいて前記アップリンク認可リソースが前記ターゲットリソースであるかどうかを判断することは、
前記アップリンク認可リソースの物理層伝送パラメータ及び前記第一マッピング関係に基づいて、前記アップリンク認可リソースに対応する伝送特徴識別子を取得することと、
前記アップリンク認可リソースに対応する伝送特徴識別子及び前記ＵＥにおける各論理チャネルの設定情報に基づいて、前記アップリンク認可リソースに対応する論理チャネルを取得することと、
前記アップリンク認可リソースに対応する論理チャネルがターゲット論理チャネルを含むかどうかを判断することと、
前記アップリンク認可リソースに対応する論理チャネルがターゲット論理チャネルを含む場合、前記アップリンク認可リソースが前記ターゲットリソースであることを確定することと、を含むことを特徴とする請求項４に記載の方法。
【請求項６】
前記アップリンク認可リソースを優先的に使用して前記第一論理チャネルにおけるターゲット論理チャネルのデータを伝送することは、
前記アップリンク認可リソースを優先的に使用して、前記アップリンク認可リソースに対応するターゲット論理チャネルにおけるデータを伝送することを含むことを特徴とする請求項５に記載の方法。
【請求項７】
前記基地局が無線リソース制御（ＲＲＣ）シグナリングにより送信した前記第一マッピング関係及び前記ＵＥにおける各論理チャネルの設定情報を受信することを更に含むことを特徴とする請求項５に記載の方法。
【請求項８】
前記物理層伝送パラメータセットは基礎パラメータセット、伝送時間間隔（ＴＴＩ）長さ及びキャリア周波数のうちの少なくとも１つを含むことを特徴とする請求項５に記載の方法。
【請求項９】
前記伝送特徴が１つの物理層伝送パラメータセットに対応し、前記ＤＣＩが前記アップリンク認可リソースの物理層伝送パラメータを含み、前記ＵＥに第二マッピング関係が記憶され、前記第二マッピング関係が仮想伝送特徴識別子とターゲット物理層伝送パラメータセットとのマッピング関係であり、前記ターゲット物理層伝送パラメータセットが前記ターゲットリソースの伝送特徴に対応し、前記方法は更に、
前記ＤＣＩに前記アップリンク認可リソースに対応する仮想指示情報が含まれる場合、前記アップリンク認可リソースが前記ターゲットリソースであることを確定することを含み、
前記仮想指示情報は、前記アップリンク認可リソースの物理層伝送パラメータ及び前記第二マッピング関係に基づいて、前記アップリンク認可リソースに対応する仮想伝送特徴識別子を取得するように前記ＵＥに指示することに用いられることを特徴とする請求項１に記載の方法。
【請求項１０】
前記ＵＥにおける各ターゲット論理チャネルの設定情報が仮想伝送特徴識別子を含み、前記アップリンク認可リソースを優先的に使用して前記第一論理チャネルにおけるターゲット論理チャネルのデータを伝送することは、
前記仮想指示情報に基づいて、前記アップリンク認可リソースの物理層伝送パラメータ及び前記第二マッピング関係を基に、前記アップリンク認可リソースに対応する仮想伝送特徴識別子を取得することと、
前記アップリンク認可リソースに対応する仮想伝送特徴識別子及び前記ＵＥにおける各ターゲット論理チャネルの設定情報に基づいて、前記アップリンク認可リソースに対応するターゲット論理チャネルを確定することと、
前記アップリンク認可リソースを優先的に使用して、前記アップリンク認可リソースに対応するターゲット論理チャネルにおけるデータを伝送することと、を含むことを特徴とする請求項９に記載の方法。
【請求項１１】
前記基地局がＲＲＣシグナリングにより送信した前記第二マッピング関係及び前記ＵＥにおける各ターゲット論理チャネルの設定情報を受信することを更に含むことを特徴とする請求項１０に記載の方法。
【請求項１２】
前記基地局は前記ＵＥにおける各論理チャネルのために優先度を設定し、且つ前記基地局がターゲット論理チャネルのために設定した優先度は最高優先度であり、前記第一論理チャネルの個数が１以上であり、前記方法は更に、
前記第一論理チャネルにおける各論理チャネルの優先度を取得することと、
前記第一論理チャネルにおいて、設定された優先度が最高優先度である論理チャネルが存在する場合、前記アップリンク認可リソースが前記ターゲットリソースであることを確定することと、を含むことを特徴とする請求項１に記載の方法。
【請求項１３】
前記アップリンク認可リソースを優先的に使用して前記第一論理チャネルにおけるターゲット論理チャネルのデータを伝送することは、
前記アップリンク認可リソースを優先的に使用して、前記設定された優先度が最高優先度である論理チャネルのデータを伝送することを含むことを特徴とする請求項１２に記載の方法。
【請求項１４】
前記基地局がＲＲＣシグナリングにより送信した前記ＵＥにおける各論理チャネルの優先度を受信することを更に含むことを特徴とする請求項１２に記載の方法。
【請求項１５】
前記基地局が前記ＵＥにおける各論理チャネルのために優先度及び優先度レート（ＰＢＲ）を設定し、且つ前記基地局がターゲット論理チャネルのために設定した優先度は最高優先度であり、設定されたＰＢＲが無限大であり、前記第一論理チャネルの個数が１以上であり、前記方法は更に、
前記第一論理チャネルにおける各論理チャネルの優先度及びＰＢＲを取得することと、
前記第一論理チャネルにおいて、設定された優先度が最高優先度であり且つＰＢＲが無限大である論理チャネルは存在する場合、前記アップリンク認可リソースが前記ターゲットリソースであることを確定することと、を含むことを特徴とする請求項１に記載の方法。
【請求項１６】
前記アップリンク認可リソースを優先的に使用して前記第一論理チャネルにおけるターゲット論理チャネルのデータを伝送することは、
前記第一論理チャネルにおける各論理チャネルのトークンバケット時間長さ（ＢＳＤ）を取得することと、
各前記第一論理チャネルの優先度、ＰＢＲ及びＢＳＤに基づいて、前記アップリンク認可リソースを使用して前記第一論理チャネルのデータを伝送することと、を含むことを特徴とする請求項１５に記載の方法。
【請求項１７】
前記基地局がＲＲＣシグナリングにより送信した前記ＵＥにおける各論理チャネルの優先度、ＰＢＲ及びＢＳＤを受信することを更に含むことを特徴とする請求項１６に記載の方法。
【請求項１８】
前記第一論理チャネルが１つのターゲット論理チャネルを含む場合、前記アップリンク認可リソースを優先的に使用して前記第一論理チャネルにおけるターゲット論理チャネルのデータを伝送することは、
前記アップリンク認可リソースのサイズを確定することと、
前記アップリンク認可リソースのサイズが前記ターゲット論理チャネルにおけるデータのデータ量よりも小さい場合、前記ターゲット論理チャネルにおけるデータからターゲットデータを取得し、且つ前記アップリンク認可リソースを使用して前記ターゲットデータを伝送し、前記ターゲットデータのデータ量が前記アップリンク認可リソースのサイズと同じであることと、
前記アップリンク認可リソースのサイズが前記ターゲット論理チャネルにおけるデータのデータ量以上である場合、前記アップリンク認可リソースを使用して前記ターゲット論理チャネルにおけるすべてのデータを伝送することと、を含むことを特徴とする請求項１に記載の方法。
【請求項１９】
前記アップリンク認可リソースのサイズが前記ターゲット論理チャネルにおけるデータのデータ量よりも大きい場合、少なくとも１つの残り論理チャネルを確定し、前記残り論理チャネルが前記第一論理チャネルのうち前記ターゲット論理チャネル以外の論理チャネルであることと、
前記少なくとも１つの残り論理チャネルにおける各残り論理チャネルの優先度、ＰＢＲ及びＢＳＤを取得することと、
各前記残り論理チャネルの優先度、ＰＢＲ及びＢＳＤに基づいて、前記アップリンク認可リソースを使用して前記ターゲット論理チャネルにおけるすべてのデータを伝送する際に、前記残り論理チャネルにおけるデータを伝送することと、を更に含むことを特徴とする請求項１８に記載の方法。
【請求項２０】
前記第一論理チャネルが少なくとも２つのターゲット論理チャネルを含む場合、前記アップリンク認可リソースを優先的に使用して前記第一論理チャネルにおけるターゲット論理チャネルのデータを伝送することは、
前記少なくとも２つのターゲット論理チャネルにおける各ターゲット論理チャネルの優先度、ＰＢＲ及びＢＳＤを取得することと、
各前記ターゲット論理チャネルの優先度、ＰＢＲ及びＢＳＤに基づいて、前記少なくとも２つのターゲット論理チャネルにおけるデータがすべて前記アップリンク認可リソースで伝送完了されるまで、又は、前記アップリンク認可リソースが前記少なくとも２つのターゲット論理チャネルにおけるデータにすべて占用されるまで、前記アップリンク認可リソースを使用して前記少なくとも２つのターゲット論理チャネルにおけるデータを伝送することと、を含むことを特徴とする請求項１に記載の方法。
【請求項２１】
ＵＥにＤＣＩを送信し、前記ＤＣＩは基地局が前記ＵＥに割り当てたアップリンク認可リソースを識別することに用いられ、前記アップリンク認可リソースが１つの伝送特徴に対応し、前記アップリンク認可リソースは第一論理チャネルのデータをベアリングすることに用いられ、前記第一論理チャネルに設定された伝送特徴は前記アップリンク認可リソースに対応する伝送特徴を含むことと、
前記ＤＣＩは、前記アップリンク認可リソースがターゲットリソースである場合、前記アップリンク認可リソースを優先的に使用して前記第一論理チャネルにおけるターゲット論理チャネルのデータを伝送するように前記ＵＥに指示することに用いられることと、を含み、
前記ターゲット論理チャネルは一種の伝送特徴のみが設定される論理チャネルであり、前記ターゲットリソースは対応する伝送特徴と前記ターゲット論理チャネルに設定された伝送特徴とが同じであるアップリンク認可リソースであることを特徴とするリソース割り当て方法。
【請求項２２】
前記ＤＣＩに前記アップリンク認可リソースに対応するチャネル識別子が含まれ、前記チャネル識別子はターゲット論理チャネルを識別することに用いられることを特徴とする請求項２１に記載の方法。
【請求項２３】
前記ＤＣＩは前記アップリンク認可リソースの物理層伝送パラメータを含むことを特徴とする請求項２１に記載の方法。
【請求項２４】
前記伝送特徴が１つの物理層伝送パラメータセットに対応し、前記物理層伝送パラメータセットはＴＴＩ長さ、基礎パラメータセット及びキャリア周波数のうちの少なくとも１つを含むことを特徴とする請求項２１に記載の方法。
【請求項２５】
ＲＲＣシグナリングにより前記ＵＥに第一マッピング関係及び前記ＵＥにおける各論理チャネルの設定情報を送信し、前記第一マッピング関係が伝送特徴識別子と物理層伝送パラメータセットとのマッピング関係であり、前記ＵＥにおける各論理チャネルの設定情報が伝送特徴識別子を含むことを更に含むことを特徴とする請求項２４に記載の方法。
【請求項２６】
ＲＲＣシグナリングにより前記ＵＥに第二マッピング関係及び前記ＵＥにおける各ターゲット論理チャネルの設定情報を送信し、前記第二マッピング関係が仮想伝送特徴識別子とターゲット物理層伝送パラメータセットとのマッピング関係であり、前記ターゲット物理層伝送パラメータセットが前記ターゲットリソースの伝送特徴に対応し、前記ＵＥにおける各ターゲット論理チャネルの設定情報が仮想伝送特徴識別子を含むことを更に含むことを特徴とする請求項２４に記載の方法。
【請求項２７】
ＲＲＣシグナリングにより前記ＵＥに前記ＵＥにおける各論理チャネルの優先度、ＰＢＲ及びＢＳＤを送信することを更に含むことを特徴とする請求項２１に記載の方法。
【請求項２８】
ＵＥであって、
基地局が送信したＤＣＩを受信することに用いられ、前記ＤＣＩは前記基地局が前記ＵＥに割り当てたアップリンク認可リソースを識別することに用いられ、前記アップリンク認可リソースが１つの伝送特徴に対応し、前記アップリンク認可リソースが第一論理チャネルのデータをベアリングすることに用いられ、前記第一論理チャネルに設定された伝送特徴は前記アップリンク認可リソースに対応する伝送特徴を含む受信モジュールと、
前記アップリンク認可リソースがターゲットリソースである場合、前記アップリンク認可リソースを優先的に使用して前記第一論理チャネルにおけるターゲット論理チャネルのデータを伝送することに用いられる伝送モジュールと、を備え、
前記ターゲット論理チャネルは１つの伝送特徴のみが設定される論理チャネルであり、前記ターゲットリソースは対応する伝送特徴と前記ターゲット論理チャネルに設定された伝送特徴とが同じであるアップリンク認可リソースであることを特徴とするＵＥ。
【請求項２９】
前記伝送モジュールは、前記ＤＣＩに前記アップリンク認可リソースに対応するチャネル識別子が含まれる場合、前記アップリンク認可リソースが前記ターゲットリソースであることを確定することに用いられ、
前記チャネル識別子はターゲット論理チャネルを識別することに用いられることを特徴とする請求項２８に記載のＵＥ。
【請求項３０】
前記伝送モジュールは、前記アップリンク認可リソースを優先的に使用して、前記チャネル識別子が識別したターゲット論理チャネルにおけるデータを伝送することに用いられることを特徴とする請求項２９に記載のＵＥ。
【請求項３１】
前記ＤＣＩが前記アップリンク認可リソースの物理層伝送パラメータを含み、前記伝送モジュールは、
前記ＤＣＩに基づいて前記アップリンク認可リソースの物理層伝送パラメータを取得することと、
前記アップリンク認可リソースの物理層伝送パラメータに基づいて前記アップリンク認可リソースが前記ターゲットリソースであるかどうかを判断することと、に用いられることを特徴とする請求項２８に記載のＵＥ。
【請求項３２】
前記伝送特徴が１つの物理層伝送パラメータセットに対応し、前記ＵＥに第一マッピング関係が記憶され、前記第一マッピング関係が伝送特徴識別子と物理層伝送パラメータセットとのマッピング関係であり、前記ＵＥにおける各論理チャネルの設定情報が伝送特徴識別子を含み、前記伝送モジュールは、
前記アップリンク認可リソースの物理層伝送パラメータ及び前記第一マッピング関係に基づいて、前記アップリンク認可リソースに対応する伝送特徴識別子を取得することと、
前記アップリンク認可リソースに対応する伝送特徴識別子及び前記ＵＥにおける各論理チャネルの設定情報に基づいて、前記アップリンク認可リソースに対応する論理チャネルを取得することと、
前記アップリンク認可リソースに対応する論理チャネルがターゲット論理チャネルを含むかどうかを判断することと、
前記アップリンク認可リソースに対応する論理チャネルがターゲット論理チャネルを含む場合、前記アップリンク認可リソースが前記ターゲットリソースであることを確定することと、に用いられることを特徴とする請求項３１に記載のＵＥ。
【請求項３３】
前記伝送モジュールは、前記アップリンク認可リソースを優先的に使用して、前記アップリンク認可リソースに対応するターゲット論理チャネルにおけるデータを伝送することに用いられることを特徴とする請求項３２に記載のＵＥ。
【請求項３４】
前記受信モジュールは更に、
前記基地局が無線リソース制御（ＲＲＣ）シグナリングにより送信した前記第一マッピング関係及び前記ＵＥにおける各論理チャネルの設定情報を受信することに用いられることを特徴とする請求項３２に記載のＵＥ。
【請求項３５】
前記物理層伝送パラメータセットは基礎パラメータセット、伝送時間間隔（ＴＴＩ）長さ及びキャリア周波数のうちの少なくとも１つを含むことを特徴とする請求項３２に記載のＵＥ。
【請求項３６】
前記伝送特徴が１つの物理層伝送パラメータセットに対応し、前記ＤＣＩが前記アップリンク認可リソースの物理層伝送パラメータを含み、前記ＵＥに第二マッピング関係が記憶され、前記第二マッピング関係が仮想伝送特徴識別子とターゲット物理層伝送パラメータセットとのマッピング関係であり、前記ターゲット物理層伝送パラメータセットが前記ターゲットリソースの伝送特徴に対応し、前記伝送モジュールは、
前記ＤＣＩに前記アップリンク認可リソースに対応する仮想指示情報が含まれる場合、前記アップリンク認可リソースが前記ターゲットリソースであることを確定することに用いられ、
前記仮想指示情報は、前記アップリンク認可リソースの物理層伝送パラメータ及び前記第二マッピング関係に基づいて、前記アップリンク認可リソースに対応する仮想伝送特徴識別子を取得するように前記ＵＥに指示することに用いられることを特徴とする請求項２８に記載のＵＥ。
【請求項３７】
前記ＵＥにおける各ターゲット論理チャネルの設定情報が仮想伝送特徴識別子を含み、前記伝送モジュールは、
前記仮想指示情報に基づいて、前記アップリンク認可リソースの物理層伝送パラメータ及び前記第二マッピング関係を基に、前記アップリンク認可リソースに対応する仮想伝送特徴識別子を取得することと、
前記アップリンク認可リソースに対応する仮想伝送特徴識別子及び前記ＵＥにおける各ターゲット論理チャネルの設定情報に基づいて、前記アップリンク認可リソースに対応するターゲット論理チャネルを確定することと、
前記アップリンク認可リソースを優先的に使用して前記アップリンク認可リソースに対応するターゲット論理チャネルにおけるデータを伝送することと、に用いられることを特徴とする請求項３６に記載のＵＥ。
【請求項３８】
前記受信モジュールは更に、
前記基地局がＲＲＣシグナリングにより送信した前記第二マッピング関係及び前記ＵＥにおける各ターゲット論理チャネルの設定情報を受信することに用いられることを特徴とする請求項３７に記載のＵＥ。
【請求項３９】
前記基地局が前記ＵＥにおける各論理チャネルのために優先度を設定し、且つ前記基地局がターゲット論理チャネルのために設定した優先度は最高優先度であり、前記第一論理チャネルの個数が１以上であり、前記伝送モジュールは、
前記第一論理チャネルにおける各論理チャネルの優先度を取得することと、
前記第一論理チャネルにおいて設定された優先度が最高優先度である論理チャネルは存在する場合、前記アップリンク認可リソースが前記ターゲットリソースであることを確定することと、に用いられることを特徴とする請求項２８に記載のＵＥ。
【請求項４０】
前記伝送モジュールは、前記アップリンク認可リソースを優先的に使用して、前記設定された優先度が最高優先度である論理チャネルのデータを伝送することに用いられることを特徴とする請求項３９に記載のＵＥ。
【請求項４１】
前記受信モジュールは更に、前記基地局がＲＲＣシグナリングにより送信した前記ＵＥにおける各論理チャネルの優先度を受信することに用いられることを特徴とする請求項３９に記載のＵＥ。
【請求項４２】
前記基地局は前記ＵＥにおける各論理チャネルのために優先度及び優先度レート（ＰＢＲ）を設定し、且つ前記基地局がターゲット論理チャネルのために設定した優先度は最高優先度であり、設定されたＰＢＲが無限大であり、前記第一論理チャネルの個数が１以上であり、前記伝送モジュールは、
前記第一論理チャネルにおける各論理チャネルの優先度及びＰＢＲを取得することと、
前記第一論理チャネルにおいて設定された優先度が最高優先度であり且つＰＢＲが無限大である論理チャネルは存在する場合、前記アップリンク認可リソースが前記ターゲットリソースであることを確定することと、に用いられることを特徴とする請求項２８に記載のＵＥ。
【請求項４３】
前記伝送モジュールは、
前記第一論理チャネルにおける各論理チャネルのトークンバケット時間長さ（ＢＳＤ）を取得することと、
各前記第一論理チャネルの優先度、ＰＢＲ及びＢＳＤに基づいて、前記アップリンク認可リソースを使用して前記第一論理チャネルのデータを伝送することと、に用いられることを特徴とする請求項４２に記載のＵＥ。
【請求項４４】
前記受信モジュールは更に、前記基地局がＲＲＣシグナリングにより送信した前記ＵＥにおける各論理チャネルの優先度、ＰＢＲ及びＢＳＤを受信することに用いられることを特徴とする請求項４３に記載のＵＥ。
【請求項４５】
前記第一論理チャネルが１つのターゲット論理チャネルを含む場合、前記伝送モジュールは、
前記アップリンク認可リソースのサイズを確定することと、
前記アップリンク認可リソースのサイズが前記ターゲット論理チャネルにおけるデータのデータ量よりも小さい場合、前記ターゲット論理チャネルにおけるデータからターゲットデータを取得し、且つ前記アップリンク認可リソースを使用して前記ターゲットデータを伝送し、前記ターゲットデータのデータ量が前記アップリンク認可リソースのサイズと同じであることと、
前記アップリンク認可リソースのサイズが前記ターゲット論理チャネルにおけるデータのデータ量以上である場合、前記アップリンク認可リソースを使用して前記ターゲット論理チャネルにおけるすべてのデータを伝送することと、に用いられることを特徴とする請求項２８に記載のＵＥ。
【請求項４６】
前記伝送モジュールは、
前記アップリンク認可リソースのサイズが前記ターゲット論理チャネルにおけるデータのデータ量よりも大きい場合、少なくとも１つの残り論理チャネルを確定し、前記残り論理チャネルが前記第一論理チャネルのうち前記ターゲット論理チャネル以外の論理チャネルであることと、
前記少なくとも１つの残り論理チャネルにおける各残り論理チャネルの優先度、ＰＢＲ及びＢＳＤを取得することと、
各前記残り論理チャネルの優先度、ＰＢＲ及びＢＳＤに基づいて、前記アップリンク認可リソースを使用して前記ターゲット論理チャネルにおけるすべてのデータを伝送する際に、前記残り論理チャネルにおけるデータを伝送することと、に用いられることを特徴とする請求項４５に記載のＵＥ。
【請求項４７】
前記第一論理チャネルが少なくとも２つのターゲット論理チャネルを含む場合、前記伝送モジュールは、
前記少なくとも２つのターゲット論理チャネルにおける各ターゲット論理チャネルの優先度、ＰＢＲ及びＢＳＤを取得することと、
各前記ターゲット論理チャネルの優先度、ＰＢＲ及びＢＳＤに基づいて、前記少なくとも２つのターゲット論理チャネルにおけるデータがすべて前記アップリンク認可リソースで伝送完了されるまで、又は、前記アップリンク認可リソースが前記少なくとも２つのターゲット論理チャネルにおけるデータにすべて占用されるまで、前記アップリンク認可リソースを使用して前記少なくとも２つのターゲット論理チャネルにおけるデータを伝送することと、に用いられることを特徴とする請求項２８に記載のＵＥ。
【請求項４８】
基地局であって、
ＵＥにＤＣＩを送信することに用いられ、前記ＤＣＩは基地局が前記ＵＥに割り当てたアップリンク認可リソースを識別することに用いられ、前記アップリンク認可リソースが１つの伝送特徴に対応し、前記アップリンク認可リソースは第一論理チャネルのデータをベアリングすることに用いられ、前記第一論理チャネルに設定された伝送特徴は前記アップリンク認可リソースに対応する伝送特徴を含む送信モジュールを備え、
前記ＤＣＩは、前記アップリンク認可リソースがターゲットリソースである場合、前記アップリンク認可リソースを優先的に使用して前記第一論理チャネルにおけるターゲット論理チャネルのデータを伝送するように前記ＵＥに指示することに用いられ、
前記ターゲット論理チャネルは一種の伝送特徴のみが設定される論理チャネルであり、前記ターゲットリソースは対応する伝送特徴と前記ターゲット論理チャネルに設定された伝送特徴とが同じであるアップリンク認可リソースであることを特徴とする基地局。
【請求項４９】
前記ＤＣＩに前記アップリンク認可リソースに対応するチャネル識別子が含まれ、前記チャネル識別子はターゲット論理チャネルを識別することに用いられることを特徴とする請求項４８に記載の基地局。
【請求項５０】
前記ＤＣＩは前記アップリンク認可リソースの物理層伝送パラメータを含むことを特徴とする請求項４８に記載の基地局。
【請求項５１】
前記伝送特徴が１つの物理層伝送パラメータセットに対応し、前記物理層伝送パラメータセットはＴＴＩ長さ、基礎パラメータセット及びキャリア周波数のうちの少なくとも１つを含むことを特徴とする請求項４８に記載の基地局。
【請求項５２】
前記送信モジュールは更に、ＲＲＣシグナリングにより前記ＵＥに第一マッピング関係及び前記ＵＥにおける各論理チャネルの設定情報を送信し、前記第一マッピング関係が伝送特徴識別子と物理層伝送パラメータセットとのマッピング関係であり、前記ＵＥにおける各論理チャネルの設定情報が伝送特徴識別子を含むことに用いられることを特徴とする請求項５１に記載の基地局。
【請求項５３】
前記送信モジュールは更に、ＲＲＣシグナリングにより前記ＵＥに第二マッピング関係及び前記ＵＥにおける各ターゲット論理チャネルの設定情報を送信し、前記第二マッピング関係が仮想伝送特徴識別子とターゲット物理層伝送パラメータセットとのマッピング関係であり、前記ターゲット物理層伝送パラメータセットが前記ターゲットリソースの伝送特徴に対応し、前記ＵＥにおける各ターゲット論理チャネルの設定情報が仮想伝送特徴識別子を含むことに用いられることを特徴とする請求項５１に記載の基地局。
【請求項５４】
前記送信モジュールは更に、ＲＲＣシグナリングにより前記ＵＥに前記ＵＥにおける各論理チャネルの優先度、ＰＢＲ及びＢＳＤを送信することに用いられることを特徴とする請求項４８に記載の基地局。
【請求項５５】
メモリ、プロセッサ及びメモリに記憶され且つプロセッサにおいて実行できるコンピュータプログラムを備える端末であって、前記プロセッサが前記コンピュータプログラムを実行する際に、請求項１〜２０のいずれか一項に記載のリソース割り当て方法を実現することを特徴とする端末。
【請求項５６】
メモリ、プロセッサ及びメモリに記憶され且つプロセッサにおいて実行できるコンピュータプログラムを備える基地局であって、前記プロセッサが前記コンピュータプログラムを実行する際に、請求項２１〜２７のいずれか一項に記載のリソース割り当て方法を実現することを特徴とする基地局。
【請求項５７】
請求項２８〜４７のいずれか一項に記載のＵＥ及び請求項４８〜５４のいずれか一項に記載の基地局を備え、
又は、請求項５５に記載の端末及び請求項５６に記載の基地局を備えることを特徴とするリソース割り当てシステム。
【請求項５８】
コンピュータプログラムが記憶され、前記コンピュータプログラムがプロセッサに実行される際に、請求項１〜２０のいずれか一項に記載のリソース割り当て方法を実現でき、
又は、前記コンピュータプログラムがプロセッサに実行される際に、請求項２１〜２７のいずれか一項に記載のリソース割り当て方法を実現できることを特徴とするコンピュータ可読記憶媒体。
【発明の詳細な説明】
【技術分野】
【０００１】
本発明は通信分野に関し、特にリソース割り当て方法、装置、システム及びコンピュータ可読記憶媒体に関する。
【背景技術】
【０００２】
通信システムにおいて、ＵＥ（Ｕｓｅｒ  Ｅｑｕｉｐｍｅｎｔ、ユーザー装置）はアップリンクデータを送信する前に、基地局にアップリンクスケジューリング要求を送信する必要があり、基地局は該アップリンクスケジューリング要求を受信した後にＵＥにアップリンク認可リソースを割り当てることができ、アップリンク認可リソースが割り当てられた後、ＵＥは少なくとも１つの論理チャネルにおけるデータを該アップリンク認可リソースにマッピングすることができ、それにより該アップリンク認可リソースにより基地局にアップリンクデータを伝送する。
【０００３】
本発明を実現する過程では、発明者は従来技術に少なくとも以下の問題が存在することを発見する。
【０００４】
５Ｇ（Ｔｈｅ  Ｆｉｆｔｈ  Ｇｅｎｅｒａｔｉｏｎ  Ｍｏｂｉｌｅ  Ｃｏｍｍｕｎｉｃａｔｉｏｎ  Ｔｅｃｈｎｏｌｏｇｙ、第５世代移動通信技術）通信システムにおいて、異なるアップリンク認可リソースの物理層伝送パラメータは異なる可能性が大きいものであり、アップリンク認可リソースの物理層伝送パラメータが異なるため、異なる論理チャネルにおけるデータは異なるタイプのアップリンク認可リソースでベアリングされる必要がある。実際の応用では、幾つかの論理チャネル（ここで論理チャネルＡと称される）におけるデータは複数のタイプのアップリンク認可リソースでベアリングされることができるが、別の論理チャネル（ここで論理チャネルＢと称される）におけるデータは１つのタイプのアップリンク認可リソースのみでベアリングされることができる。この場合、あるタイプのアップリンク認可リソースにおいて論理チャネルＡのデータがベアリングされ、更に論理チャネルＢのデータがベアリングされると、該論理チャネルＡのデータは論理チャネルＢのデータ伝送に影響を与え、それにより論理チャネルＢのデータに対応するサービスのサービス品質が比較的低くなる。
【発明の概要】
【発明が解決しようとする課題】
【０００５】
１つのタイプのアップリンク認可リソースのみでデータをベアリングする論理チャネルのサービスのサービス品質が比較的低いという従来の問題を解決するために、本発明はリソース割り当て方法、装置、システム及びコンピュータ可読記憶媒体を提供する。前記技術案は以下のとおりである。
【課題を解決するための手段】
【０００６】
第一様態では、リソース割り当て方法を提供し、前記方法は、
基地局が送信したダウンリンク制御情報（ＤＣＩ）を受信し、前記ＤＣＩは前記基地局がユーザー装置（ＵＥ）に割り当てたアップリンク認可リソースを識別することに用いられ、前記アップリンク認可リソースが１つの伝送特徴に対応し、前記アップリンク認可リソースは第一論理チャネルのデータをベアリングすることに用いられ、前記第一論理チャネルに設定された伝送特徴は前記アップリンク認可リソースに対応する伝送特徴を含むことと、
前記アップリンク認可リソースがターゲットリソースである場合、前記アップリンク認可リソースを優先的に使用して前記第一論理チャネルにおけるターゲット論理チャネルのデータを伝送することと、を含み、
前記ターゲット論理チャネルは１つの伝送特徴のみが設定される論理チャネルであり、前記ターゲットリソースは対応する伝送特徴と前記ターゲット論理チャネルに設定された伝送特徴とが同じであるアップリンク認可リソースである。
【０００７】
選択肢として、前記方法は更に、
前記ＤＣＩに前記アップリンク認可リソースに対応するチャネル識別子が含まれる場合、前記アップリンク認可リソースが前記ターゲットリソースであることを確定することを含み、
前記チャネル識別子はターゲット論理チャネルを識別することに用いられる。
【０００８】
選択肢として、前記アップリンク認可リソースを優先的に使用して前記第一論理チャネルにおけるターゲット論理チャネルのデータを伝送することは、
前記アップリンク認可リソースを優先的に使用して、前記チャネル識別子が識別したターゲット論理チャネルにおけるデータを伝送することを含む。
【０００９】
選択肢として、前記ＤＣＩが前記アップリンク認可リソースの物理層伝送パラメータを含み、前記方法は更に、
前記ＤＣＩに基づいて前記アップリンク認可リソースの物理層伝送パラメータを取得することと、
前記アップリンク認可リソースの物理層伝送パラメータに基づいて前記アップリンク認可リソースが前記ターゲットリソースであるかどうかを判断することと、含む。
【００１０】
選択肢として、前記伝送特徴が１つの物理層伝送パラメータセットに対応し、前記ＵＥに第一マッピング関係が記憶され、前記第一マッピング関係が伝送特徴識別子と物理層伝送パラメータセットとのマッピング関係であり、前記ＵＥにおける各論理チャネルの設定情報が伝送特徴識別子を含み、前記アップリンク認可リソースの物理層伝送パラメータに基づいて前記アップリンク認可リソースが前記ターゲットリソースであるかどうかを判断することは、
前記アップリンク認可リソースの物理層伝送パラメータ及び前記第一マッピング関係に基づいて、前記アップリンク認可リソースに対応する伝送特徴識別子を取得することと、
前記アップリンク認可リソースに対応する伝送特徴識別子及び前記ＵＥにおける各論理チャネルの設定情報に基づいて、前記アップリンク認可リソースに対応する論理チャネルを取得することと、
前記アップリンク認可リソースに対応する論理チャネルがターゲット論理チャネルを含むかどうかを判断することと、
前記アップリンク認可リソースに対応する論理チャネルがターゲット論理チャネルを含む場合、前記アップリンク認可リソースが前記ターゲットリソースであることを確定することと、含む。
【００１１】
選択肢として、前記アップリンク認可リソースを優先的に使用して前記第一論理チャネルにおけるターゲット論理チャネルのデータを伝送することは、
前記アップリンク認可リソースを優先的に使用して前記アップリンク認可リソースに対応するターゲット論理チャネルにおけるデータを伝送することを含む。
【００１２】
選択肢として、前記方法は更に、
前記基地局が無線リソース制御（ＲＲＣ）シグナリングにより送信した前記第一マッピング関係及び前記ＵＥにおける各論理チャネルの設定情報を受信することを含む。
【００１３】
選択肢として、前記物理層伝送パラメータセットは基礎パラメータセット、伝送時間間隔（ＴＴＩ）長さ及びキャリア周波数のうちの少なくとも１つを含む。
【００１４】
選択肢として、前記伝送特徴が１つの物理層伝送パラメータセットに対応し、前記ＤＣＩが前記アップリンク認可リソースの物理層伝送パラメータを含み、前記ＵＥに第二マッピング関係が記憶され、前記第二マッピング関係が仮想伝送特徴識別子とターゲット物理層伝送パラメータセットとのマッピング関係であり、前記ターゲット物理層伝送パラメータセットが前記ターゲットリソースの伝送特徴に対応し、前記方法は更に、
前記ＤＣＩに前記アップリンク認可リソースに対応する仮想指示情報を含む場合、前記アップリンク認可リソースが前記ターゲットリソースであることを確定することを含み、
前記仮想指示情報は、前記アップリンク認可リソースの物理層伝送パラメータ及び前記第二マッピング関係に基づいて、前記アップリンク認可リソースに対応する仮想伝送特徴識別子を取得するように前記ＵＥに指示することに用いられる。
【００１５】
選択肢として、前記ＵＥにおける各ターゲット論理チャネルの設定情報が仮想伝送特徴識別子を含み、前記アップリンク認可リソースを優先的に使用して前記第一論理チャネルにおけるターゲット論理チャネルのデータを伝送することは、
前記仮想指示情報に基づいて、前記アップリンク認可リソースの物理層伝送パラメータ及び前記第二マッピング関係を基に、前記アップリンク認可リソースに対応する仮想伝送特徴識別子を取得することと、
前記アップリンク認可リソースに対応する仮想伝送特徴識別子及び前記ＵＥにおける各ターゲット論理チャネルの設定情報に基づいて、前記アップリンク認可リソースに対応するターゲット論理チャネルを確定することと、
前記アップリンク認可リソースを優先的に使用して前記アップリンク認可リソースに対応するターゲット論理チャネルにおけるデータを伝送することと、を含む。
【００１６】
選択肢として、前記方法は更に、
前記基地局がＲＲＣシグナリングにより送信した前記第二マッピング関係及び前記ＵＥにおける各ターゲット論理チャネルの設定情報を受信することを含む。
【００１７】
選択肢として、前記基地局は前記ＵＥにおける各論理チャネルのために優先度を設定し、且つ前記基地局がターゲット論理チャネルのために設定した優先度は最高優先度であり、前記第一論理チャネルの個数が１以上であり、前記方法は更に、
前記第一論理チャネルにおける各論理チャネルの優先度を取得することと、
前記第一論理チャネルにおいて設定された優先度が最高優先度である論理チャネルは存在する場合、前記アップリンク認可リソースが前記ターゲットリソースであることを確定することと、を含む。
【００１８】
選択肢として、前記アップリンク認可リソースを優先的に使用して前記第一論理チャネルにおけるターゲット論理チャネルのデータを伝送することは、
前記アップリンク認可リソースを優先的に使用して前記設定された優先度が最高優先度である論理チャネルのデータを伝送することを含む。
【００１９】
選択肢として、前記方法は更に、
前記基地局がＲＲＣシグナリングにより送信した前記ＵＥにおける各論理チャネルの優先度を受信することを含む。
【００２０】
選択肢として、前記基地局は前記ＵＥにおける各論理チャネルのために優先度及び優先度レート（ＰＢＲ）を設定し、且つ前記基地局がターゲット論理チャネルのために設定した優先度は最高優先度であり、設定されたＰＢＲが無限大であり、前記第一論理チャネルの個数が１以上であり、前記方法は更に、
前記第一論理チャネルにおける各論理チャネルの優先度及びＰＢＲを取得することと、
前記第一論理チャネルにおいて設定された優先度が最高優先度であり且つＰＢＲが無限大である論理チャネルは存在する場合、前記アップリンク認可リソースが前記ターゲットリソースであることを確定することと、を含む。
【００２１】
選択肢として、前記アップリンク認可リソースを優先的に使用して前記第一論理チャネルにおけるターゲット論理チャネルのデータを伝送することは、
前記第一論理チャネルにおける各論理チャネルのトークンバケット時間長さ（ＢＳＤ）を取得することと、
各前記第一論理チャネルの優先度、ＰＢＲ及びＢＳＤに基づいて、前記アップリンク認可リソースを使用して前記第一論理チャネルのデータを伝送することと、を含む。
【００２２】
選択肢として、前記方法は更に、
前記基地局がＲＲＣシグナリングにより送信した前記ＵＥにおける各論理チャネルの優先度、ＰＢＲ及びＢＳＤを受信することを含む。
【００２３】
選択肢として、前記第一論理チャネルが１つのターゲット論理チャネルを含む場合、前記アップリンク認可リソースを優先的に使用して前記第一論理チャネルにおけるターゲット論理チャネルのデータを伝送することは、
前記アップリンク認可リソースのサイズを確定することと、
前記アップリンク認可リソースのサイズが前記ターゲット論理チャネルにおけるデータのデータ量よりも小さい場合、前記ターゲット論理チャネルにおけるデータからターゲットデータを取得し、且つ前記アップリンク認可リソースを使用して前記ターゲットデータを伝送し、前記ターゲットデータのデータ量が前記アップリンク認可リソースのサイズと同じであることと、
前記アップリンク認可リソースのサイズが前記ターゲット論理チャネルにおけるデータのデータ量以上である場合、前記アップリンク認可リソースを使用して前記ターゲット論理チャネルにおけるすべてのデータを伝送することと、を含む。
【００２４】
選択肢として、前記方法は更に、
前記アップリンク認可リソースのサイズが前記ターゲット論理チャネルにおけるデータのデータ量よりも大きい場合、少なくとも１つの残り論理チャネルを確定し、前記残り論理チャネルが前記第一論理チャネルのうち前記ターゲット論理チャネル以外の論理チャネルであることと、
前記少なくとも１つの残り論理チャネルにおける各残り論理チャネルの優先度、ＰＢＲ及びＢＳＤを取得することと、
各前記残り論理チャネルの優先度、ＰＢＲ及びＢＳＤに基づいて、前記アップリンク認可リソースを使用して前記ターゲット論理チャネルにおけるすべてのデータを伝送する際に、前記残り論理チャネルにおけるデータを伝送することと、を含む。
【００２５】
選択肢として、前記第一論理チャネルが少なくとも２つのターゲット論理チャネルを含む場合、前記アップリンク認可リソースを優先的に使用して前記第一論理チャネルにおけるターゲット論理チャネルのデータを伝送することは、
前記少なくとも２つのターゲット論理チャネルにおける各ターゲット論理チャネルの優先度、ＰＢＲ及びＢＳＤを取得することと、
各前記ターゲット論理チャネルの優先度、ＰＢＲ及びＢＳＤに基づいて、前記少なくとも２つのターゲット論理チャネルにおけるデータがすべて前記アップリンク認可リソースで伝送完了されるまで、又は、前記アップリンク認可リソースが前記少なくとも２つのターゲット論理チャネルにおけるデータにすべて占用されるまで、前記アップリンク認可リソースを使用して前記少なくとも２つのターゲット論理チャネルにおけるデータを伝送することと、を含む。
【００２６】
第二様態では、リソース割り当て方法を提供し、前記方法は、
ＵＥにＤＣＩを送信し、前記ＤＣＩは基地局が前記ＵＥに割り当てたアップリンク認可リソースを識別することに用いられ、前記アップリンク認可リソースが１つの伝送特徴に対応し、前記アップリンク認可リソースが第一論理チャネルのデータをベアリングすることに用いられ、前記第一論理チャネルに設定された伝送特徴は前記アップリンク認可リソースに対応する伝送特徴を含むことと、
前記ＤＣＩは、前記アップリンク認可リソースがターゲットリソースである場合、前記アップリンク認可リソースを優先的に使用して前記第一論理チャネルにおけるターゲット論理チャネルのデータを伝送するように前記ＵＥに指示することに用いられることと、を含み、
前記ターゲット論理チャネルは一種の伝送特徴のみが設定される論理チャネルであり、前記ターゲットリソースは対応する伝送特徴と前記ターゲット論理チャネルに設定された伝送特徴とが同じであるアップリンク認可リソースである。
【００２７】
選択肢として、前記ＤＣＩに前記アップリンク認可リソースに対応するチャネル識別子が含まれ、前記チャネル識別子はターゲット論理チャネルを識別することに用いられる。
【００２８】
選択肢として、前記ＤＣＩは前記アップリンク認可リソースの物理層伝送パラメータを含む。
【００２９】
選択肢として、前記伝送特徴が１つの物理層伝送パラメータセットに対応し、前記物理層伝送パラメータセットはＴＴＩ長さ、基礎パラメータセット及びキャリア周波数のうちの少なくとも１つを含む。
【００３０】
選択肢として、前記方法は更に、
ＲＲＣシグナリングにより前記ＵＥに第一マッピング関係及び前記ＵＥにおける各論理チャネルの設定情報を送信し、前記第一マッピング関係が伝送特徴識別子と物理層伝送パラメータセットとのマッピング関係であり、前記ＵＥにおける各論理チャネルの設定情報が伝送特徴識別子を含むことを含む。
【００３１】
選択肢として、前記方法は更に、
ＲＲＣシグナリングにより前記ＵＥに第二マッピング関係及び前記ＵＥにおける各ターゲット論理チャネルの設定情報を送信し、前記第二マッピング関係が仮想伝送特徴識別子とターゲット物理層伝送パラメータセットとのマッピング関係であり、前記ターゲット物理層伝送パラメータセットが前記ターゲットリソースの伝送特徴に対応し、前記ＵＥにおける各ターゲット論理チャネルの設定情報が仮想伝送特徴識別子を含むことを含む。
【００３２】
選択肢として、前記方法は更に、
ＲＲＣシグナリングにより前記ＵＥに前記ＵＥにおける各論理チャネルの優先度、ＰＢＲ及びＢＳＤを送信することを含む。
【００３３】
第三様態では、ＵＥを提供し、前記ＵＥは、
基地局が送信したＤＣＩを受信することに用いられ、前記ＤＣＩは前記基地局が前記ＵＥに割り当てたアップリンク認可リソースを識別することに用いられ、前記アップリンク認可リソースが１つの伝送特徴に対応し、前記アップリンク認可リソースは第一論理チャネルのデータをベアリングすることに用いられ、前記第一論理チャネルに設定された伝送特徴は前記アップリンク認可リソースに対応する伝送特徴を含む受信モジュールと、
前記アップリンク認可リソースがターゲットリソースである場合、前記アップリンク認可リソースを優先的に使用して前記第一論理チャネルにおけるターゲット論理チャネルのデータを伝送することに用いられる伝送モジュールと、を備え、
前記ターゲット論理チャネルは１つの伝送特徴のみが設定される論理チャネルであり、前記ターゲットリソースは対応する伝送特徴と前記ターゲット論理チャネルに設定された伝送特徴とが同じであるアップリンク認可リソースである。
【００３４】
選択肢として、前記伝送モジュールは、前記ＤＣＩに前記アップリンク認可リソースに対応するチャネル識別子が含まれる場合、前記アップリンク認可リソースが前記ターゲットリソースであることを確定することに用いられ、
前記チャネル識別子はターゲット論理チャネルを識別することに用いられる。
【００３５】
選択肢として、前記伝送モジュールは、
前記アップリンク認可リソースを優先的に使用して、前記チャネル識別子が識別したターゲット論理チャネルにおけるデータを伝送することに用いられる。
【００３６】
選択肢として、前記ＤＣＩが前記アップリンク認可リソースの物理層伝送パラメータを含み、前記伝送モジュールは、
前記ＤＣＩに基づいて前記アップリンク認可リソースの物理層伝送パラメータを取得することと、
前記アップリンク認可リソースの物理層伝送パラメータに基づいて、前記アップリンク認可リソースが前記ターゲットリソースであるかどうかを判断することと、に用いられる。
【００３７】
選択肢として、前記伝送特徴が１つの物理層伝送パラメータセットに対応し、前記ＵＥに第一マッピング関係が記憶され、前記第一マッピング関係が伝送特徴識別子と物理層伝送パラメータセットとのマッピング関係であり、前記ＵＥにおける各論理チャネルの設定情報が伝送特徴識別子を含み、前記伝送モジュールは、
前記アップリンク認可リソースの物理層伝送パラメータ及び前記第一マッピング関係に基づいて、前記アップリンク認可リソースに対応する伝送特徴識別子を取得することと、
前記アップリンク認可リソースに対応する伝送特徴識別子及び前記ＵＥにおける各論理チャネルの設定情報に基づいて、前記アップリンク認可リソースに対応する論理チャネルを取得することと、
前記アップリンク認可リソースに対応する論理チャネルがターゲット論理チャネルを含むかどうかを判断することと、
前記アップリンク認可リソースに対応する論理チャネルがターゲット論理チャネルを含む場合、前記アップリンク認可リソースが前記ターゲットリソースであることを確定することと、に用いられる。
【００３８】
選択肢として、前記伝送モジュールは、
前記アップリンク認可リソースを優先的に使用して前記アップリンク認可リソースに対応するターゲット論理チャネルにおけるデータを伝送することに用いられる。
【００３９】
選択肢として、前記受信モジュールは更に、
前記基地局が無線リソース制御（ＲＲＣ）シグナリングにより送信した前記第一マッピング関係及び前記ＵＥにおける各論理チャネルの設定情報を受信することに用いられる。
【００４０】
選択肢として、前記物理層伝送パラメータセットは基礎パラメータセット、伝送時間間隔（ＴＴＩ）長さ及びキャリア周波数のうちの少なくとも１つを含む。
【００４１】
選択肢として、前記伝送特徴が１つの物理層伝送パラメータセットに対応し、前記ＤＣＩが前記アップリンク認可リソースの物理層伝送パラメータを含み、前記ＵＥに第二マッピング関係が記憶され、前記第二マッピング関係が仮想伝送特徴識別子とターゲット物理層伝送パラメータセットとのマッピング関係であり、前記ターゲット物理層伝送パラメータセットが前記ターゲットリソースの伝送特徴に対応し、前記伝送モジュールは、
前記ＤＣＩに前記アップリンク認可リソースに対応する仮想指示情報が含まれる場合、前記アップリンク認可リソースが前記ターゲットリソースであることを確定することに用いられ、
前記仮想指示情報は、前記アップリンク認可リソースの物理層伝送パラメータ及び前記第二マッピング関係に基づいて、前記アップリンク認可リソースに対応する仮想伝送特徴識別子を取得するように前記ＵＥに指示することに用いられる。
【００４２】
選択肢として、前記ＵＥにおける各ターゲット論理チャネルの設定情報が仮想伝送特徴識別子を含み、前記伝送モジュールは、
前記仮想指示情報に基づいて、前記アップリンク認可リソースの物理層伝送パラメータ及び前記第二マッピング関係を基に、前記アップリンク認可リソースに対応する仮想伝送特徴識別子を取得することと、
前記アップリンク認可リソースに対応する仮想伝送特徴識別子及び前記ＵＥにおける各ターゲット論理チャネルの設定情報に基づいて、前記アップリンク認可リソースに対応するターゲット論理チャネルを確定することと、
前記アップリンク認可リソースを優先的に使用して前記アップリンク認可リソースに対応するターゲット論理チャネルにおけるデータを伝送することと、に用いられる。
【００４３】
選択肢として、前記受信モジュールは更に、
前記基地局がＲＲＣシグナリングにより送信した前記第二マッピング関係及び前記ＵＥにおける各ターゲット論理チャネルの設定情報を受信することに用いられる。
【００４４】
選択肢として、前記基地局は前記ＵＥにおける各論理チャネルのために優先度を設定し、且つ前記基地局がターゲット論理チャネルのために設定した優先度は最高優先度であり、前記第一論理チャネルの個数が１以上であり、前記伝送モジュールは、
前記第一論理チャネルにおける各論理チャネルの優先度を取得することと、
前記第一論理チャネルにおいて設定された優先度が最高優先度である論理チャネルが存在する場合、前記アップリンク認可リソースが前記ターゲットリソースであることを確定することと、に用いられる。
【００４５】
選択肢として、前記伝送モジュールは、
前記アップリンク認可リソースを優先的に使用して、前記設定された優先度が最高優先度である論理チャネルのデータを伝送することに用いられる。
【００４６】
選択肢として、前記受信モジュールは更に、
前記基地局がＲＲＣシグナリングにより送信した前記ＵＥにおける各論理チャネルの優先度を受信することに用いられる。
【００４７】
選択肢として、前記基地局は前記ＵＥにおける各論理チャネルのために優先度及び優先度レート（ＰＢＲ）を設定し、且つ前記基地局がターゲット論理チャネルのために設定した優先度は最高優先度であり、設定されたＰＢＲが無限大であり、前記第一論理チャネルの個数が１以上であり、前記伝送モジュールは、
前記第一論理チャネルにおける各論理チャネルの優先度及びＰＢＲを取得することと、
前記第一論理チャネルにおいて設定された優先度が最高優先度であり且つＰＢＲが無限大である論理チャネルは存在する場合、前記アップリンク認可リソースが前記ターゲットリソースであることを確定することと、に用いられる。
【００４８】
選択肢として、前記伝送モジュールは、
前記第一論理チャネルにおける各論理チャネルのトークンバケット時間長さ（ＢＳＤ）を取得することと、
各前記第一論理チャネルの優先度、ＰＢＲ及びＢＳＤに基づいて、前記アップリンク認可リソースを使用して前記第一論理チャネルのデータを伝送することと、に用いられる。
【００４９】
選択肢として、前記受信モジュールは更に、前記基地局がＲＲＣシグナリングにより送信した前記ＵＥにおける各論理チャネルの優先度、ＰＢＲ及びＢＳＤを受信することに用いられる。
【００５０】
選択肢として、前記第一論理チャネルが１つのターゲット論理チャネルを含む場合、前記伝送モジュールは、
前記アップリンク認可リソースのサイズを確定することと、
前記アップリンク認可リソースのサイズが前記ターゲット論理チャネルにおけるデータのデータ量よりも小さい場合、前記ターゲット論理チャネルにおけるデータからターゲットデータを取得し、且つ前記アップリンク認可リソースを使用して前記ターゲットデータを伝送し、前記ターゲットデータのデータ量が前記アップリンク認可リソースのサイズと同じであることと、
前記アップリンク認可リソースのサイズが前記ターゲット論理チャネルにおけるデータのデータ量以上である場合、前記アップリンク認可リソースを使用して前記ターゲット論理チャネルにおけるすべてのデータを伝送することと、に用いられる。
【００５１】
選択肢として、前記伝送モジュールは、
前記アップリンク認可リソースのサイズが前記ターゲット論理チャネルにおけるデータのデータ量よりも大きい場合、少なくとも１つの残り論理チャネルを確定し、前記残り論理チャネルが前記第一論理チャネルのうち前記ターゲット論理チャネル以外の論理チャネルであることと、
前記少なくとも１つの残り論理チャネルにおける各残り論理チャネルの優先度、ＰＢＲ及びＢＳＤを取得することと、
各前記残り論理チャネルの優先度、ＰＢＲ及びＢＳＤに基づいて、前記アップリンク認可リソースを使用して前記ターゲット論理チャネルにおけるすべてのデータを伝送する際に、前記残り論理チャネルにおけるデータを伝送することと、に用いられる。
【００５２】
選択肢として、前記第一論理チャネルが少なくとも２つのターゲット論理チャネルを含む場合、前記伝送モジュールは、
前記少なくとも２つのターゲット論理チャネルにおける各ターゲット論理チャネルの優先度、ＰＢＲ及びＢＳＤを取得することと、
各前記ターゲット論理チャネルの優先度、ＰＢＲ及びＢＳＤに基づいて、前記少なくとも２つのターゲット論理チャネルにおけるデータがすべて前記アップリンク認可リソースで伝送完了されるまで、又は、前記アップリンク認可リソースが前記少なくとも２つのターゲット論理チャネルにおけるデータにすべて占用されるまで、前記アップリンク認可リソースを使用して前記少なくとも２つのターゲット論理チャネルにおけるデータを伝送することと、に用いられる。
【００５３】
第四様態では、基地局を提供し、前記基地局は、
ＵＥにＤＣＩを送信することに用いられ、前記ＤＣＩは基地局が前記ＵＥに割り当てたアップリンク認可リソースを識別することに用いられ、前記アップリンク認可リソースが１つの伝送特徴に対応し、前記アップリンク認可リソースが第一論理チャネルのデータをベアリングすることに用いられ、前記第一論理チャネルに設定された伝送特徴は前記アップリンク認可リソースに対応する伝送特徴を含む送信モジュールを備え、
前記ＤＣＩは、前記アップリンク認可リソースがターゲットリソースである場合、前記アップリンク認可リソースを優先的に使用して前記第一論理チャネルにおけるターゲット論理チャネルのデータを伝送するように前記ＵＥに指示することに用いられ、
前記ターゲット論理チャネルは一種の伝送特徴のみが設定される論理チャネルであり、前記ターゲットリソースは対応する伝送特徴と前記ターゲット論理チャネルに設定された伝送特徴とが同じであるアップリンク認可リソースである。
【００５４】
選択肢として、前記ＤＣＩに前記アップリンク認可リソースに対応するチャネル識別子が含まれ、前記チャネル識別子はターゲット論理チャネルを識別することに用いられる。
【００５５】
選択肢として、前記ＤＣＩは前記アップリンク認可リソースの物理層伝送パラメータを含む。
【００５６】
選択肢として、前記伝送特徴が１つの物理層伝送パラメータセットに対応し、前記物理層伝送パラメータセットはＴＴＩ長さ、基礎パラメータセット及びキャリア周波数のうちの少なくとも１つを含む。
【００５７】
選択肢として、前記送信モジュールは更に、
ＲＲＣシグナリングにより前記ＵＥに第一マッピング関係及び前記ＵＥにおける各論理チャネルの設定情報を送信し、前記第一マッピング関係が伝送特徴識別子と物理層伝送パラメータセットとのマッピング関係であり、前記ＵＥにおける各論理チャネルの設定情報が伝送特徴識別子を含むことに用いられる。
【００５８】
選択肢として、前記送信モジュールは更に、
ＲＲＣシグナリングにより前記ＵＥに第二マッピング関係及び前記ＵＥにおける各ターゲット論理チャネルの設定情報を送信し、前記第二マッピング関係が仮想伝送特徴識別子とターゲット物理層伝送パラメータセットとのマッピング関係であり、前記ターゲット物理層伝送パラメータセットが前記ターゲットリソースの伝送特徴に対応し、前記ＵＥにおける各ターゲット論理チャネルの設定情報が仮想伝送特徴識別子を含むことに用いられる。
【００５９】
選択肢として、前記送信モジュールは更に、
ＲＲＣシグナリングにより前記ＵＥに前記ＵＥにおける各論理チャネルの優先度、ＰＢＲ及びＢＳＤを送信することに用いられる。
【００６０】
第五様態では、リソース割り当てシステムを提供し、前記リソース割り当てシステムは第三様態のいずれか一項に記載のＵＥ及び第四様態のいずれか一項に記載の基地局を備える。
【００６１】
第六様態では、コンピュータ可読記憶媒体を提供し、前記コンピュータ可読記憶媒体にコンピュータプログラムが記憶され、前記コンピュータプログラムがプロセッサに実行される際に上記第一様態のいずれか一項に記載のリソース割り当て方法を実現でき、
又は、前記コンピュータプログラムがプロセッサに実行される際に上記第二様態のいずれか一項に記載のリソース割り当て方法を実現できる。
【発明の効果】
【００６２】
本発明の実施例による技術案の有益な効果は下記のとおりである。
基地局がＵＥに割り当てたアップリンク認可リソースはターゲットリソースである場合、該アップリンク認可リソースを優先的に使用してターゲット論理チャネルのデータを伝送し、該ターゲット論理チャネルは１つの伝送特徴のみが設定された論理チャネルであり、該ターゲットリソースは対応する伝送特徴とターゲット論理チャネルに設定された伝送特徴とが同じであるアップリンク認可リソースであり、それにより、１つの伝送特徴のみが設定された論理チャネル、即ち一種のアップリンク認可リソースのみでデータをベアリングできる論理チャネルにおけるデータを優先的に伝送でき、それにより該一種のアップリンク認可リソースのみでデータをベアリングできる論理チャネルに対応するサービスのサービス品質を確保する。
【図面の簡単な説明】
【００６３】
本発明の実施例における技術案をより明確に説明するため、以下に実施例の記述において必要な図面を簡単に説明するが、当然ながら、以下に記載する図面は単に本発明の実施例の一例であり、当業者であれば、創造的な労力を要することなく、これらの図面に基づいて他の図面を取得しうる。
【００６４】
【図１】図１は本発明の実施例によるリソース割り当て方法に係る実施環境の模式図である。
【図２】図２は本発明の実施例によるリソース割り当て方法のフローチャートである。
【図３】図３は本発明の実施例によるリソース割り当て方法のフローチャートである。
【図４】図４は本発明の実施例によるリソース割り当て方法のフローチャートである。
【図５】図５は本発明の実施例によるＵＥのブロック図である。
【図６】図６は本発明の実施例による基地局のブロック図である。
【図７】図７は本発明の実施例によるリソース割り当てシステムのブロック図である。
【図８】図８は本発明の実施例による端末のブロック図である。
【図９】図９は本発明の実施例による基地局のブロック図である。
【発明を実施するための形態】
【００６５】
本発明の目的、技術案及び利点をより明確にするために、以下では図面を参照しながら、本発明の実施形態を更に詳細に説明する。
【００６６】
実際の応用では、ＵＥ（Ｕｓｅｒ  Ｅｑｕｉｐｍｅｎｔ、ユーザー装置）は複数のプロトコル副層を含んでもよく、該複数のプロトコル副層にはＲＬＣ（Ｒａｄｉｏ  Ｌｉｎｋ  Ｃｏｎｔｒｏｌ、無線リンク層制御）層及びＭＡＣ（Ｍｅｄｉａ  Ａｃｃｅｓｓ  Ｃｏｎｔｒｏｌ、媒体アクセス制御）層が含まれてもよい。ＲＬＣ層とＭＡＣ層との間のＳＡＰ（Ｓｅｒｖｉｃｅ  Ａｃｃｅｓｓ  ｐｏｉｎｔ、サービスアクセスポイント）は論理チャネルであり、ＳＡＰとは隣接する２つのプロトコル層の間に相互に通信する論理インタフェースである。ＵＥがアップリンクデータを送信する過程において、ＭＡＣ層は論理チャネルのデータを基地局がＵＥに割り当てたアップリンク認可リソースにマッピングして、アップリンク認可リソースにより基地局に論理チャネルのデータを送信することができる。
【００６７】
実際の応用では、ＭＡＣ層は複数の論理チャネルのデータを同一のアップリンク認可リソースにマッピングして、同一のアップリンク認可リソースにより基地局に該複数の論理チャネルのデータを送信することができ、この過程はアップリンク認可リソースの多重化と称されてもよい。アップリンク認可リソース多重化の過程において、ＭＡＣ層はトークンバケットアルゴリズムで複数の論理チャネルのデータを同一のアップリンク認可リソースにマッピングすることができる。以下、本発明の実施例はトークンバケットアルゴリズムを簡単に説明する。
【００６８】
2020536401.tif 000003
【００６９】
2020536401.tif 000004
【００７０】
2020536401.tif 000005
【００７１】
なお、ある論理チャネルのＰＢＲが無限大であると、マッピングの過程において、ＭＡＣ層は該ある論理チャネルのデータをすべてアップリンク認可リソースにマッピングした後、該ある論理チャネルの優先度よりも低い他の論理チャネルのデータをアップリンク認可リソースにマッピングする必要がある。
【００７２】
2020536401.tif 000006
【００７３】
2020536401.tif 000007
【００７４】
2020536401.tif 000008
【００７５】
2020536401.tif 000009
【００７６】
優先度が最も高い論理チャネルにおけるデータをすべてアップリンク認可リソースにマッピングした後、該アップリンク認可リソースが依然として完全に占用されていない場合、ＭＡＣ層は優先度が第二に高い論理チャネルのデータをアップリンク認可リソースに上記説明と同様にマッピングし続けることができ、これによって類推し、該アップリンク認可リソースがすべて占用されるまでである。
【００７７】
現在の通信システムにおいて、異なるアップリンク認可リソースの物理層伝送パラメータは同じであるため、論理チャネルはアップリンク認可リソースに対して選択性がなく、即ち論理チャネルのデータは任意のアップリンク認可リソースでベアリングされてもよい。一方、５Ｇ（Ｔｈｅ  Ｆｉｆｔｈ  Ｇｅｎｅｒａｔｉｏｎ  Ｍｏｂｉｌｅ  Ｃｏｍｍｕｎｉｃａｔｉｏｎ  Ｔｅｃｈｎｏｌｏｇｙ、第５世代移動通信技術）通信システムにおいて、異なるアップリンク認可リソースの物理層伝送パラメータは異なる可能性が大きく、それにより論理チャネルはアップリンク認可リソースに対して選択性があり、即ち、５Ｇ通信システムにおいて異なる論理チャネルにおけるデータは異なるタイプのアップリンク認可リソースでベアリングされる必要がある。
【００７８】
５Ｇ通信システムにおいて、幾つかの論理チャネル（ここで論理チャネルＡと称される）におけるデータは複数のタイプのアップリンク認可リソースでベアリングされてもよいが、別の論理チャネル（ここで論理チャネルＢと称される）におけるデータは１つのタイプのアップリンク認可リソースのみでベアリングされる。この場合、あるタイプのアップリンク認可リソースは論理チャネルＡのデータをベアリングすることができ、論理チャネルＢのデータをベアリングすることもできると、論理チャネルＡのデータ及び論理チャネルＢのデータが上記トークンバケットアルゴリズムに基づいて該あるタイプのアップリンク認可リソースにマッピングされることにより、論理チャネルＢは十分なアップリンク認可リソースを占用できなく、更に論理チャネルＢのデータの伝送に影響を与え、論理チャネルＢのデータに対応するサービスのＱｏＳ（Ｑｕａｌｉｔｙ  ｏｆ  Ｓｅｒｖｉｃｅ、サービス品質）が低くなる。この問題を解決するために、本発明の実施例はリソース割り当て方法を提供する。
【００７９】
図１は本発明の実施例によるリソース割り当て方法に係る実施環境の模式図であり、図１に示されるように、該実施環境は基地局１０及びＵＥ２０を含んでもよい。５Ｇ通信システムにおいて、該基地局１０はｇＮＢ（ｇｅｎｅｒａｔｉｏｎ  ＮｏｄｅＢ、次世代の基地局）であってもよく、該ＵＥ２０はスマートフォン、コンピュータ、マルチメディアプレーヤー、電子リーダー、ウェアラブル装置等であってもよく、基地局１０とＵＥ２０との間には無線通信ネットワークによって通信できる。
【００８０】
図２は本発明の実施例によるリソース割り当て方法のフローチャートであり、該リソース割り当て方法は図１に示されるＵＥ２０に適用され、図２に示されるように、該リソース割り当て方法は、
ＵＥは基地局が送信したＤＣＩ（Ｄｏｗｎｌｉｎｋ  Ｃｏｎｔｒｏｌ  Ｉｎｆｏｒｍａｔｉｏｎ、ダウンリンク制御情報）を受信し、該ＤＣＩは基地局がＵＥに割り当てたアップリンク認可リソースを識別することに用いられ、該アップリンク認可リソースが１つの伝送特徴に対応し、該アップリンク認可リソースは第一論理チャネルのデータをベアリングすることに用いられ、該第一論理チャネルに設定された伝送特徴は該アップリンク認可リソースに対応する伝送特徴を含むステップ２０１と、
該アップリンク認可リソースがターゲットリソースである場合、ＵＥが該アップリンク認可リソースを優先的に使用して該第一論理チャネルにおけるターゲット論理チャネルのデータを伝送するステップ２０２と、を含み、
該ターゲット論理チャネルは１つの伝送特徴のみが設定される論理チャネルであり、該ターゲットリソースは対応する伝送特徴と該ターゲット論理チャネルに設定された伝送特徴とが同じであるアップリンク認可リソースである。
【００８１】
以上のように、本発明の実施例によるリソース割り当て方法では、基地局がＵＥに割り当てたアップリンク認可リソースはターゲットリソースである場合、該アップリンク認可リソースを優先的に使用してターゲット論理チャネルのデータを伝送し、該ターゲット論理チャネルは１つの伝送特徴のみが設定された論理チャネルであり、該ターゲットリソースは対応する伝送特徴とターゲット論理チャネルに設定された伝送特徴とが同じであるアップリンク認可リソースであり、それにより、１つの伝送特徴のみが設定された論理チャネル、即ち一種のアップリンク認可リソースのみでデータをベアリングできる論理チャネルにおけるデータを優先的に伝送でき、それにより該一種のアップリンク認可リソースのみでデータをベアリングできる論理チャネルに対応するサービスのサービス品質を確保する。
【００８２】
図３は本発明の実施例によるリソース割り当て方法のフローチャートであり、該リソース割り当て方法は図１に示される基地局１０に適用され、図３に示されるように、該リソース割り当て方法は、
基地局がＵＥにＤＣＩを送信し、該ＤＣＩは基地局が該ＵＥに割り当てたアップリンク認可リソースを識別することに用いられ、該アップリンク認可リソースが１つの伝送特徴に対応し、該アップリンク認可リソースは第一論理チャネルのデータをベアリングすることに用いられ、該第一論理チャネルに設定された伝送特徴は該アップリンク認可リソースに対応する伝送特徴を含むステップ３０１を含む。
【００８３】
該ＤＣＩは、アップリンク認可リソースがターゲットリソースである場合、該アップリンク認可リソースを優先的に使用して該第一論理チャネルにおけるターゲット論理チャネルのデータを伝送するようにＵＥに指示することに用いられる。該ターゲット論理チャネルは一種の伝送特徴のみが設定された論理チャネルであり、該ターゲットリソースは対応する伝送特徴と該ターゲット論理チャネルに設定された伝送特徴とが同じであるアップリンク認可リソースである。
【００８４】
以上のように、本発明の実施例によるリソース割り当て方法では、基地局がＵＥにＤＣＩを送信し、該ＤＣＩは、基地局がＵＥに割り当てたアップリンク認可リソースはターゲットリソースである場合、該アップリンク認可リソースを優先的に使用してターゲット論理チャネルのデータを伝送するようにＵＥに指示し、該ターゲット論理チャネルは１つの伝送特徴のみが設定された論理チャネルであり、該ターゲットリソースは対応する伝送特徴とターゲット論理チャネルに設定された伝送特徴とが同じであるアップリンク認可リソースであり、それにより、１つの伝送特徴のみが設定された論理チャネル、即ち一種のアップリンク認可リソースのみでデータをベアリングできる論理チャネルにおけるデータを優先的に伝送でき、それにより該一種のアップリンク認可リソースのみでデータをベアリングできる論理チャネルに対応するサービスのサービス品質を確保する。
【００８５】
図４は本発明の実施例によるリソース割り当て方法のフローチャートであり、該リソース割り当て方法は図１に示される実施環境に適用され、図４に示されるように、該リソース割り当て方法は以下のステップ４０１〜４０３を含む。
【００８６】
ステップ４０１、ＵＥは基地局が送信したＤＣＩを受信する。
【００８７】
実際の応用では、ＵＥはアップリンクデータを送信する前に、基地局にアップリンクスケジューリング要求を送信でき、基地局は該アップリンクスケジューリング要求を受信した後にＵＥにＤＣＩを送信でき、それによりＵＥにアップリンク認可リソースを割り当てる。基地局がＵＥに送信したＤＣＩは基地局がＵＥに割り当てたアップリンク認可リソースを識別でき、例えば、該ＤＣＩは基地局がＵＥに割り当てたアップリンク認可リソースの時間領域位置及び周波数領域位置を含んでもよい。
【００８８】
なお、実際の応用では、基地局はＵＥに１つ又は少なくとも２つのアップリンク認可リソースを割り当てることができ、それに対応して、ＤＣＩは該１つ又は少なくとも２つのアップリンク認可リソースを識別でき、本発明の実施例は基地局がＵＥに１つのアップリンク認可リソースを割り当てることを例として説明しており、基地局がＵＥに少なくとも２つのアップリンク認可リソースを割り当てる状況は基地局がＵＥに１つのアップリンク認可リソースを割り当てる状況と同様であるため、本発明の実施例はここで繰り返して説明しない。
【００８９】
５Ｇ通信システムにおいて異なるアップリンク認可リソースの物理層伝送パラメータは異なるため、異なるアップリンク認可リソースを特徴づけるために、５Ｇ通信システムにＴＰ（ｔｒａｎｓｍｉｓｓｉｏｎ  ｐｒｏｆｉｌｅ、伝送特徴）の概念を導入し、ＴＰは１つの物理層伝送パラメータセットに対応でき、該物理層伝送パラメータセットは基礎パラメータセット、ＴＴＩ長さ及びキャリア周波数のうちの少なくとも１つを含んでもよく、該基礎パラメータセットはサブキャリア間隔を含んでもよい。表１に示されるのはＴＰと物理層伝送パラメータセットとの例示的なマッピング関係である。
【００９０】
【表１】
2020536401.tif 000010
【００９１】
５Ｇ通信システムにおいて、各アップリンク認可リソースはいずれも１つのＴＰに対応でき、且つ、アップリンク認可リソースの各物理層伝送パラメータとそれに対応するＴＰに対応する物理層伝送パラメータセットに含まれる物理層伝送パラメータとは同一である。例えば、表１に示されるように、あるアップリンク認可リソースのサブキャリア間隔が１５ＫＨｚであり、ＴＴＩ長さが１ｍｓであり、サブ周波数がＦｒｅｑ＿１であると、該アップリンク認可リソースに対応するＴＰはＴＰ  ｕである。
【００９２】
また、５Ｇ通信システムにおいて、各論理チャネルにはいずれも少なくとも１つのＴＰが設定されることができ、論理チャネルのデータは該論理チャネルに設定されたＴＰに対応するアップリンク認可リソースでベアリングされることができ、例えば、論理チャネルｉにＴＰ  ｕ及びＴＰ  ｖが設定されることができ、アップリンク認可リソースＲに対応するＴＰはＴＰ  ｕであり、アップリンク認可リソースＴに対応するＴＰはＴＰ  ｖであると、論理チャネルｉのデータはアップリンク認可リソースＲ及びアップリンク認可リソースＴでベアリングされることができる。
【００９３】
上記の説明から分かるように、基地局がＵＥに割り当てたアップリンク認可リソースは、設定されたＴＰが該アップリンク認可リソースに対応するＴＰを含む論理チャネルのデータをベアリングでき、説明を簡略化するために、以下では上記「設定されたＴＰが該アップリンク認可リソースに対応するＴＰを含む論理チャネル」を第一論理チャネルと別称する。
【００９４】
ステップ４０２、ＵＥはＤＣＩを受信した後、基地局がＵＥに割り当てたアップリンク認可リソースがターゲットリソースであるかどうかを判断する。
【００９５】
ターゲットリソースは対応するＴＰとターゲット論理チャネルに設定されたＴＰとが同じであるアップリンク認可リソースであり、ターゲット論理チャネルは１つのＴＰのみが設定された論理チャネルである。例えば、論理チャネルｊには１つのＴＰのみが設定され、且つ、該ＴＰはＴＰ  ｕであり、アップリンク認可リソースＲに対応するＴＰもＴＰ  ｕであり、この場合、論理チャネルｊはターゲット論理チャネルであり、アップリンク認可リソースＲはターゲットリソースである。
【００９６】
上記のように、５Ｇ通信システムにおいて、各論理チャネルにいずれも少なくとも１つのＴＰを設定でき、論理チャネルのデータは該論理チャネルに設定されたＴＰに対応するアップリンク認可リソースでベアリングされることができ、この場合、１つのＴＰのみが設定された論理チャネル（即ちターゲット論理チャネル）のデータは一種のアップリンク認可リソースのみでベアリングされ、このようなアップリンク認可リソースはターゲットリソースである。
【００９７】
上記のように、上記ターゲットリソースは、ターゲット論理チャネルに加え、更に他の論理チャネルのデータをベアリングでき、且つ該他の論理チャネルに設定されたＴＰが少なくとも２つである場合（該他の論理チャネルのデータを複数種のアップリンク認可リソースでベアリングできることを示す）、該他の論理チャネルのデータのターゲットリソースに対する占用は、ターゲット論理チャネルが十分なアップリンク認可リソースを占用できないことを招く可能性が大きく、それによりターゲット論理チャネルに対応するサービスのＱｏＳが比較的に低くなる。従って、ターゲット論理チャネルに対応するサービスのＱｏＳを確保するために、本発明の実施例によればターゲットリソースはターゲット論理チャネルのデータを優先的にベアリングすることができる。
【００９８】
この目的を達成するために、ＵＥはステップ４０２を実行する必要があり、即ちＵＥは基地局が自体に割り当てたアップリンク認可リソースがターゲットリソースであるかどうかを判断する必要があり、ＵＥは基地局が自体に割り当てたアップリンク認可リソースがターゲットリソースであることを確定した場合、ＵＥはステップ４０３を実行でき、それにより基地局が自体に割り当てたアップリンク認可リソースを利用して上記第一論理チャネルにおけるターゲット論理チャネルのデータを優先的に伝送し、ＵＥは基地局が自体に割り当てたアップリンク認可リソースがターゲットリソースではないことを確定した場合、ＵＥは以上に記載のトークンバケットアルゴリズムに基づいて、上記第一論理チャネルのデータを基地局がＵＥに割り当てたアップリンク認可リソースにマッピングして、該アップリンク認可リソースを利用して第一論理チャネルのデータを伝送することができる。
【００９９】
本発明の実施例は基地局がＵＥに割り当てたアップリンク認可リソースがターゲットリソースであるかどうかを判断する５つの方法を提供する。
【０１００】
方法１では、ＵＥはＤＣＩに基地局がＵＥに割り当てたアップリンク認可リソースに対応するチャネル識別子が含まれるかどうかを検出し、該チャネル識別子はターゲット論理チャネルを識別することに用いられる。
【０１０１】
方法１において、基地局は自体がＵＥに割り当てたアップリンク認可リソースがターゲットリソースであることを確定した場合、基地局はＤＣＩに該アップリンク認可リソースに対応するチャネル識別子を加えることができ、従って、ＵＥはＤＣＩに上記チャネル識別子が含まれることを検出した後に、アップリンク認可リソースがターゲットリソースであることを確定でき、且つ、ＵＥはＤＣＩに含まれるチャネル識別子に対応する論理チャネルが上記第一論理チャネルにおけるターゲット論理チャネルであることを確定できる。
【０１０２】
方法２では、ＵＥは基地局が割り当てたアップリンク認可リソースの物理層伝送パラメータに基づいて、該アップリンク認可リソースがターゲットリソースであるかどうかを判断する。
【０１０３】
方法２において、ＵＥは基地局がＲＲＣ（Ｒａｄｉｏ  Ｒｅｓｏｕｒｃｅ  Ｃｏｎｔｒｏｌ、無線リソース制御）シグナリングにより送信した第一マッピング関係及び各論理チャネルの設定情報（Ｌｏｇｉｃａｌ  Ｃｈａｎｎｅｌ  Ｃｏｎｆｉｇ）を予め受信でき、該第一マッピング関係はＴＰ識別子と物理層伝送パラメータセットとのマッピング関係であり、該第一マッピング関係は表１に示されるマッピング関係であってもよく、該論理チャネルの設定情報は基地局が論理チャネルのために設定したＴＰ識別子を含み、更に、基地局が送信したＤＣＩは基地局がＵＥに割り当てたアップリンク認可リソースの物理層伝送パラメータを含んでもよい。
【０１０４】
本発明の実施例では、上記判断方法２は以下のステップａ１〜ａ５を含んでもよい。
【０１０５】
ステップａ１、ＵＥはＤＣＩを受信した後、該ＤＣＩから基地局がＵＥに割り当てたアップリンク認可リソースの物理層伝送パラメータを取得する。
【０１０６】
ステップａ２、ＵＥは基地局がＵＥに割り当てたアップリンク認可リソースの物理層伝送パラメータ及び予め受信された第一マッピング関係に基づいて、該アップリンク認可リソースに対応するＴＰ識別子を取得する。
【０１０７】
例えば、ＵＥがＤＣＩを受信した後にＤＣＩから取得したアップリンク認可リソースの物理層伝送パラメータは、サブキャリア間隔が１５ＫＨｚであり、ＴＴＩ長さが１ｍｓであり、サブ周波数がＦｒｅｑ＿１であることを含み、表１を検索することにより、ＵＥは基地局がＵＥに割り当てたアップリンク認可リソースに対応するＴＰ識別子がＴＰ  ｕであることを確定できる。
【０１０８】
ステップａ３、ＵＥは該アップリンク認可リソースに対応するＴＰ識別子及び予め受信された各論理チャネルの設定情報に基づいて、基地局がＵＥに割り当てたアップリンク認可リソースに対応する論理チャネルを取得する。
【０１０９】
実際の応用では、ＵＥは該アップリンク認可リソースに対応するＴＰ識別子に基づいて各論理チャネルの設定情報を検索することができ、それにより設定情報が該アップリンク認可リソースに対応するＴＰ識別子の論理チャネルを含むことを確定し、ＵＥは上記設定情報が該アップリンク認可リソースに対応するＴＰ識別子を含む論理チャネルを、基地局がＵＥに割り当てたアップリンク認可リソースに対応する論理チャネルとして確定できる。
【０１１０】
ステップａ４、ＵＥは基地局がＵＥに割り当てたアップリンク認可リソースに対応する論理チャネルがターゲット論理チャネルを含むかどうかを判断する。
【０１１１】
実際の応用では、ＵＥは予め受信された各論理チャネルの設定情報に基づいて、１つのＴＰ識別子のみが設定された論理チャネルを確定でき、ＵＥは該１つのＴＰ識別子のみが設定された論理チャネルを、ＵＥに含まれるターゲット論理チャネルとして確定でき、その後、ＵＥは基地局がＵＥに割り当てたアップリンク認可リソースに対応する論理チャネルと該ＵＥに含まれるターゲット論理チャネルとの間に共通集合が存在するかどうかを判断し、共通集合が存在する場合、ＵＥは基地局がＵＥに割り当てたアップリンク認可リソースに対応する論理チャネルがターゲット論理チャネルを含むことを確定できる。
【０１１２】
ステップａ５、基地局がＵＥに割り当てたアップリンク認可リソースに対応する論理チャネルはターゲット論理チャネルを含む場合、ＵＥは基地局がＵＥに割り当てたアップリンク認可リソースがターゲットリソースであることを確定し、且つ、ＵＥは該アップリンク認可リソースに対応する論理チャネルに含まれるターゲット論理チャネルが上記第一論理チャネルにおけるターゲット論理チャネルであることを確定する。
【０１１３】
方法３では、ＵＥはＤＣＩに基地局がＵＥに割り当てたアップリンク認可リソースに対応する仮想指示情報を含むかどうかを検出する。
【０１１４】
方法３において、ＵＥは基地局がＲＲＣシグナリングにより送信した第二マッピング関係を予め受信でき、該第二マッピング関係は仮想ＴＰ識別子とターゲット物理層伝送パラメータセットとのマッピング関係であり、該ターゲット物理層伝送パラメータセットはターゲットリソースのＴＰに対応し、表２に示されるのは例示的な第二マッピング関係である。
【０１１５】
【表２】
2020536401.tif 000011
【０１１６】
サブキャリア間隔１５ＫＨｚ、ＴＴＩ長さ１ｍｓ及びキャリア周波数Ｆｒｅｑ＿１はターゲットリソースｍ１のＴＰに対応し、サブキャリア間隔３０ＫＨｚ、ＴＴＩ長さ０．５ｍｓ及びキャリア周波数Ｆｒｅｑ＿２はターゲットリソースｍ２のＴＰに対応し、サブキャリア間隔６０ＫＨｚ、ＴＴＩ長さ０．２５ｍｓ及びキャリア周波数Ｆｒｅｑ＿３はターゲットリソースｍ３のＴＰに対応する。
【０１１７】
また、ＵＥは更に基地局がＲＲＣシグナリングにより送信したターゲット論理チャネルの設定情報を予め受信でき、該ターゲット論理チャネルの設定情報は基地局が該ターゲット論理チャネルのために設定した仮想ＴＰ識別子を含み、基地局が送信したＤＣＩは基地局がＵＥに割り当てたアップリンク認可リソースの物理層伝送パラメータを含んでもよい。
【０１１８】
本発明の実施例では、上記判断方法３は以下のステップｂ１〜ｂ５を含んでもよい。
【０１１９】
ステップｂ１、ＵＥはＤＣＩを受信した後、該ＤＣＩから基地局がＵＥに割り当てたアップリンク認可リソースの物理層伝送パラメータを取得する。
【０１２０】
ステップｂ２、ＵＥはＤＣＩに基地局がＵＥに割り当てたアップリンク認可リソースに対応する仮想指示情報が含まれるかどうかを検出する。
【０１２１】
該仮想指示情報は、基地局がＵＥに割り当てたアップリンク認可リソースの物理層伝送パラメータ及び予め受信された第二マッピング関係に基づいて、基地局がＵＥに割り当てたアップリンク認可リソースに対応する仮想ＴＰ識別子を取得するようにＵＥに指示することに用いられる。
【０１２２】
ステップｂ３、ＤＣＩに該仮想指示情報が含まれることを検出した場合、ＵＥは基地局がＵＥに割り当てたアップリンク認可リソースがターゲットリソースであることを確定する。
【０１２３】
第二マッピング関係におけるターゲット物理層伝送パラメータセットはターゲットリソースのＴＰに対応する物理層伝送パラメータセットであるため、ＤＣＩに該仮想指示情報が存在する場合、基地局がＵＥに割り当てたアップリンク認可リソースがターゲットリソースであることを示す。
【０１２４】
ステップｂ４、ＵＥは該仮想指示情報に基づいて、ＤＣＩにおいて基地局がＵＥに割り当てたアップリンク認可リソースの物理層伝送パラメータ及び予め受信された第二マッピング関係を基に、基地局がＵＥに割り当てたアップリンク認可リソースに対応する仮想ＴＰ識別子を取得する。
【０１２５】
例えば、ＵＥがＤＣＩを受信した後にＤＣＩから取得したアップリンク認可リソースの物理層伝送パラメータは、サブキャリア間隔が１５ＫＨｚであり、ＴＴＩ長さが１ｍｓであり、サブ周波数がＦｒｅｑ＿１であることを含み、且つ、ＵＥがＤＣＩから仮想指示情報を検出すると、ＵＥは該仮想指示情報の指示で、表２を検索することにより基地局がＵＥに割り当てたアップリンク認可リソースに対応する仮想ＴＰ識別子がＴＰ  ｕ１であることを確定できる。
【０１２６】
ステップｂ５、ＵＥは該アップリンク認可リソースに対応する仮想ＴＰ識別子及び各ターゲット論理チャネルの設定情報に基づいて、基地局がＵＥに割り当てたアップリンク認可リソースに対応するターゲット論理チャネルを確定する。
【０１２７】
実際の応用では、ＵＥは該アップリンク認可リソースに対応する仮想ＴＰ識別子に基づいて各ターゲット論理チャネルの設定情報を検索することができ、それにより設定情報が該アップリンク認可リソースに対応する仮想ＴＰ識別子のターゲット論理チャネルを含むことを確定し、ＵＥは上記設定情報が該アップリンク認可リソースに対応する仮想ＴＰ識別子を含むターゲット論理チャネルを、基地局がＵＥに割り当てたアップリンク認可リソースに対応するターゲット論理チャネルとして確定でき、その後、ＵＥは基地局がＵＥに割り当てたアップリンク認可リソースに対応するターゲット論理チャネルを、上記第一論理チャネルにおけるターゲット論理チャネルとして確定できる。
【０１２８】
方法４では、ＵＥは第一論理チャネルにおいて設定された優先度が最高優先度である論理チャネルが存在するかどうかを判断する。
【０１２９】
方法４において、基地局はＲＲＣシグナリングによりＵＥにおける各論理チャネルのために優先度を設定でき、且つ基地局がターゲット論理チャネルのために設定した優先度は最高優先度である。
【０１３０】
本発明の実施例では、上記判断方法４は以下のステップｃ１〜ｃ４を含んでもよい。
【０１３１】
ステップｃ１、ＵＥは第一論理チャネルを確定する。
【０１３２】
実際の応用では、ＵＥは複数の方式により第一論理チャネルを確定できる。以下では、本発明の実施例は下記２つの例示的な確定方式を提供する。
【０１３３】
方式１、ＤＣＩは第一論理チャネルの識別子を含んでもよく、ＵＥはＤＣＩにおける第一論理チャネルの識別子に基づいて第一論理チャネルを確定できる。
方式２、ＵＥは上記第一マッピング関係及び上記各論理チャネルの設定情報を予め受信でき、且つ、ＤＣＩは基地局がＵＥに割り当てたアップリンク認可リソースの物理層伝送パラメータを含み、この場合、ＵＥは該ＤＣＩを受信した後に基地局がＵＥに割り当てたアップリンク認可リソースの物理層伝送パラメータを取得でき、ＵＥは該物理層伝送パラメータ及び第一マッピング関係に基づいて基地局がＵＥに割り当てたアップリンク認可リソースに対応するＴＰを取得でき、その後、ＵＥは該基地局がＵＥに割り当てたアップリンク認可リソースに対応するＴＰに基づいて各論理チャネルの設定情報を検索することができ、それにより設定情報が該アップリンク認可リソースに対応するＴＰ識別子を含む論理チャネルを確定し、ＵＥは上記設定情報が該アップリンク認可リソースに対応するＴＰ識別子を含む論理チャネルを、第一論理チャネルとして確定できる。
【０１３４】
ステップｃ２、ＵＥは第一論理チャネルにおける各論理チャネルの優先度を取得する。
【０１３５】
ステップｃ３、第一論理チャネルにおいて設定された優先度が最高優先度である論理チャネルは存在する場合、ＵＥは基地局がＵＥに割り当てたアップリンク認可リソースがターゲットリソースであることを確定する。
【０１３６】
基地局がターゲット論理チャネルのために設定した優先度は最高優先度であるため、第一論理チャネルにおいて設定された優先度が最高優先度である論理チャネルは存在する場合、ＵＥは基地局がＵＥに割り当てたアップリンク認可リソースがターゲットリソースであることを確定できる。
【０１３７】
ステップｃ４、ＵＥは該設定された優先度が最高優先度である論理チャネルを、第一論理チャネルにおけるターゲット論理チャネルとして確定する。
【０１３８】
方法５では、ＵＥは第一論理チャネルにおいて設定された優先度が最高優先度であり且つＰＢＲが無限大である論理チャネルが存在するかどうかを判断する。
【０１３９】
方法５において、基地局はＲＲＣシグナリングにより各論理チャネルのために優先度及びＰＢＲを設定でき、且つ基地局がターゲット論理チャネルのために設定した優先度は最高優先度であり、設定したＰＢＲは無限大である。
【０１４０】
本発明の実施例では、上記判断方法５は以下のステップｄ１〜ｄ３を含んでもよい。
【０１４１】
ステップｄ１、ＵＥは第一論理チャネルを確定する。
【０１４２】
ステップｄ１の技術過程はステップｃ１の技術過程と同様であり、本発明の実施例がここで繰り返して説明しない。
【０１４３】
ステップｄ２、ＵＥは第一論理チャネルにおける各論理チャネルの優先度及びＰＢＲを取得する。
【０１４４】
ステップｄ３、該第一論理チャネルにおいて設定された優先度が最高優先度であり且つＰＢＲが無限大である論理チャネルは存在する場合、ＵＥは基地局がＵＥに割り当てたアップリンク認可リソースがターゲットリソースであることを確定する。
【０１４５】
基地局がターゲット論理チャネルのために設定した優先度は最高優先度であり、設定したＰＢＲは無限大であるため、第一論理チャネルにおいて設定された優先度が最高優先度であり且つＰＢＲが無限大である論理チャネルは存在する場合、ＵＥは基地局がＵＥに割り当てたアップリンク認可リソースがターゲットリソースであることを確定できる。
【０１４６】
ステップ４０３、ＵＥは基地局がＵＥに割り当てたアップリンク認可リソースを優先的に使用して、該第一論理チャネルにおけるターゲット論理チャネルのデータを伝送する。
【０１４７】
ステップ４０２の最初の４つの判断方法において、ＵＥは基地局がＵＥに割り当てたアップリンク認可リソースがターゲットリソースであることを確定した後に第一論理チャネルにおけるターゲット論理チャネルを取得できる。ステップ４０３において、ＵＥは基地局が自体に割り当てたアップリンク認可リソースを優先的に使用して、該第一論理チャネルにおけるターゲット論理チャネルのデータを伝送できる。本発明の実施例では第一論理チャネルに含まれるターゲット論理チャネルの個数によって、ＵＥが基地局から自体に割り当てられたアップリンク認可リソースを優先的に使用して該第一論理チャネルにおけるターゲット論理チャネルのデータを伝送する２つの方式を提供する。
【０１４８】
方式１では、第一論理チャネルが１つのターゲット論理チャネルを含む場合、ＵＥは以下のステップｅ１〜ｅ８を用いて基地局が自体に割り当てたアップリンク認可リソースを優先的に使用して、第一論理チャネルにおけるターゲット論理チャネルのデータを伝送できる。
【０１４９】
ステップｅ１、ＵＥは基地局がＵＥに割り当てたアップリンク認可リソースのサイズを確定する。
【０１５０】
実際の応用では、ＵＥはＤＣＩに含まれる該アップリンク認可リソースの時間領域位置及び周波数領域位置に基づいて該アップリンク認可リソースのサイズを確定できる。
【０１５１】
ステップｅ２、基地局がＵＥに割り当てたアップリンク認可リソースのサイズはターゲット論理チャネルにおけるデータのデータ量よりも小さい場合、ＵＥは該ターゲット論理チャネルのデータからターゲットデータを取得して、基地局がＵＥに割り当てたアップリンク認可リソースを使用して該ターゲットデータを伝送し、該ターゲットデータのデータ量は該アップリンク認可リソースのサイズと同じである。
【０１５２】
ステップｅ３、基地局がＵＥに割り当てたアップリンク認可リソースのサイズは該ターゲット論理チャネルにおけるデータのデータ量に等しい場合、ＵＥは基地局がＵＥに割り当てたアップリンク認可リソースを使用して該ターゲット論理チャネルにおけるすべてのデータを伝送する。
【０１５３】
ステップｅ４、基地局がＵＥに割り当てたアップリンク認可リソースのサイズは該ターゲット論理チャネルにおけるデータのデータ量よりも大きい場合、ＵＥは該ターゲット論理チャネルにおけるすべてのデータを基地局がＵＥに割り当てたアップリンク認可リソースにマッピングして、下記ステップｅ５〜ｅ８を実行する。
【０１５４】
ステップｅ５、ＵＥは少なくとも１つの残り論理チャネルを確定し、該残り論理チャネルは第一論理チャネルのうちターゲット論理チャネル以外の論理チャネルである。
【０１５５】
ステップｅ６、ＵＥは少なくとも１つの残り論理チャネルにおける各残り論理チャネルの優先度、ＰＢＲ及びＢＳＤを取得する。
【０１５６】
実際の応用では、ＵＥにおける各論理チャネルの優先度、ＰＢＲ及びＢＳＤはいずれも基地局がＲＲＣシグナリングにより設定してもよい。
【０１５７】
ステップｅ７、ＵＥは各残り論理チャネルの優先度、ＰＢＲ及びＢＳＤに基づいて、トークンバケットアルゴリズムを利用して残り論理チャネルのデータを基地局がＵＥに割り当てたアップリンク認可リソースのうちターゲット論理チャネルのデータに占用されていないリソースにマッピングする。
【０１５８】
ステップｅ８、ＵＥは基地局がＵＥに割り当てたアップリンク認可リソースを使用して、ターゲット論理チャネルのすべてのデータ及び該アップリンク認可リソースにマッピングされた残り論理チャネルのデータを伝送する。
【０１５９】
方式２では、第一論理チャネルが少なくとも２つのターゲット論理チャネルを含む場合、ＵＥは以下のステップｆ１〜ｆ２を用いて基地局が自体に割り当てたアップリンク認可リソースを優先的に使用して、該ターゲット論理チャネルにおけるデータを伝送できる。
【０１６０】
ステップｆ１、ＵＥは該少なくとも２つのターゲット論理チャネルにおける各ターゲット論理チャネルの優先度、ＰＢＲ及びＢＳＤを取得する。
【０１６１】
ステップｆ２、ＵＥは各ターゲット論理チャネルの優先度、ＰＢＲ及びＢＳＤに基づいて、該少なくとも２つのターゲット論理チャネルにおけるデータがすべて該アップリンク認可リソースで伝送完了されるまで、又は、該アップリンク認可リソースがすべて該少なくとも２つのターゲット論理チャネルにおけるデータに占用されるまで、基地局がＵＥに割り当てたアップリンク認可リソースを使用して該少なくとも２つのターゲット論理チャネルにおけるデータを伝送する。
【０１６２】
ステップｆ２では少なくとも２つのターゲット論理チャネルのデータを伝送する場合、ＵＥはトークンバケットアルゴリズムを使用して少なくとも２つのターゲット論理チャネルのデータを、基地局がＵＥに割り当てたアップリンク認可リソースにマッピングすることができ、本発明の実施例はこれに対して繰り返して説明しない。
【０１６３】
ステップ４０２の判断方法５では、ＵＥは第一論理チャネルにおいて設定された優先度が最高優先度であり且つＰＢＲが無限大である論理チャネルが存在するかどうかによって、基地局がＵＥに割り当てたアップリンク認可リソースがターゲットリソースであるかどうかを判断できる。
【０１６４】
該アップリンク認可リソースを使用してデータを伝送する場合、ＵＥは第一論理チャネルにおける各論理チャネルの優先度、ＰＢＲ及びＢＳＤを取得して、トークンバケットアルゴリズムを使用して第一論理チャネルのデータを基地局がＵＥに割り当てたアップリンク認可リソースにマッピングすることができる。基地局がターゲット論理チャネルのために設定した優先度は最高優先度であり、設定したＰＢＲは無限大であるため、トークンバケットアルゴリズムを使用して第一論理チャネルのデータを該アップリンク認可リソースにマッピングする過程において、ＵＥはまず第一論理チャネルにおけるターゲット論理チャネルのすべてのデータを該アップリンク認可リソースにマッピングし、それから第一論理チャネルにおける他の論理チャネルのデータを基地局がＵＥに割り当てたアップリンク認可リソースにマッピングする必要がある。このように、基地局がＵＥに割り当てたアップリンク認可リソースがターゲットリソースである場合、該アップリンク認可リソースを利用してターゲット論理チャネルのデータを優先的に伝送するという目的を実現できる。
【０１６５】
以上のように、本発明の実施例によるリソース割り当て方法では、基地局がＵＥに割り当てたアップリンク認可リソースがターゲットリソースである場合、該アップリンク認可リソースを優先的に使用してターゲット論理チャネルのデータを伝送し、該ターゲット論理チャネルは１つの伝送特徴のみが設定された論理チャネルであり、該ターゲットリソースは対応する伝送特徴とターゲット論理チャネルに設定された伝送特徴とが同じであるアップリンク認可リソースであり、それにより、１つの伝送特徴のみが設定された論理チャネル、即ち一種のアップリンク認可リソースのみでデータをベアリングできる論理チャネルにおけるデータは優先的に伝送されることができ、それにより該一種のアップリンク認可リソースのみでデータをベアリングできる論理チャネルに対応するサービスのサービス品質を確保する。
【０１６６】
図５は本発明の実施例によるＵＥ５０のブロック図であり、図５に示されるように、該ＵＥ５０は、
基地局が送信したＤＣＩを受信することに用いられ、該ＤＣＩは該基地局が該ＵＥに割り当てたアップリンク認可リソースを識別することに用いられ、該アップリンク認可リソースが１つの伝送特徴に対応し、該アップリンク認可リソースが第一論理チャネルのデータをベアリングすることに用いられ、該第一論理チャネルに設定された伝送特徴が該アップリンク認可リソースに対応する伝送特徴を含む受信モジュール５０１と、
該アップリンク認可リソースがターゲットリソースである場合、該アップリンク認可リソースを優先的に使用して該第一論理チャネルにおけるターゲット論理チャネルのデータを伝送することに用いられる伝送モジュール５０２と、を備え、
該ターゲット論理チャネルは１つの伝送特徴のみが設定された論理チャネルであり、該ターゲットリソースは対応する伝送特徴と該ターゲット論理チャネルに設定された伝送特徴とが同じであるアップリンク認可リソースである。
【０１６７】
本発明の一実施例では、該伝送モジュール５０２は、該ＤＣＩに該アップリンク認可リソースに対応するチャネル識別子が含まれる場合、該アップリンク認可リソースが該ターゲットリソースであることを確定することに用いられ、該チャネル識別子はターゲット論理チャネルを識別することに用いられ、且つ該アップリンク認可リソースを優先的に使用して該チャネル識別子が識別したターゲット論理チャネルにおけるデータを伝送することに用いられる。
【０１６８】
本発明の一実施例では、該ＤＣＩは該アップリンク認可リソースの物理層伝送パラメータを含み、該伝送モジュール５０２は、該ＤＣＩに基づいて該アップリンク認可リソースの物理層伝送パラメータを取得して、該アップリンク認可リソースの物理層伝送パラメータに基づいて該アップリンク認可リソースが該ターゲットリソースであるかどうかを判断することに用いられる。
【０１６９】
本発明の一実施例では、該伝送特徴が１つの物理層伝送パラメータセットに対応し、該物理層伝送パラメータセットは基礎パラメータセット、伝送時間間隔（ＴＴＩ）長さ及びキャリア周波数のうちの少なくとも１つを含み、該ＵＥに第一マッピング関係が記憶され、該第一マッピング関係は伝送特徴識別子と物理層伝送パラメータセットとのマッピング関係であり、該ＵＥにおける各論理チャネルの設定情報は伝送特徴識別子を含み、この場合、該伝送モジュール５０２は、該アップリンク認可リソースの物理層伝送パラメータに基づいて該アップリンク認可リソースが該ターゲットリソースであるかどうかを判断する場合、
該アップリンク認可リソースの物理層伝送パラメータ及び該第一マッピング関係に基づいて、該アップリンク認可リソースに対応する伝送特徴識別子を取得することと、
該アップリンク認可リソースに対応する伝送特徴識別子及び該ＵＥにおける各論理チャネルの設定情報に基づいて、該アップリンク認可リソースに対応する論理チャネルを取得することと、
該アップリンク認可リソースに対応する論理チャネルがターゲット論理チャネルを含むかどうかを判断することと、
該アップリンク認可リソースに対応する論理チャネルがターゲット論理チャネルを含む場合、該アップリンク認可リソースが該ターゲットリソースであることを確定することと、
該アップリンク認可リソースを優先的に使用して、該アップリンク認可リソースに対応するターゲット論理チャネルにおけるデータを伝送することと、に用いられる。
【０１７０】
該受信モジュール５０１は更に、該基地局が無線リソース制御（ＲＲＣ）シグナリングにより送信した該第一マッピング関係及び該ＵＥにおける各論理チャネルの設定情報を受信することに用いられる。
【０１７１】
本発明の一実施例では、該ＤＣＩは該アップリンク認可リソースの物理層伝送パラメータを含み、該ＵＥに第二マッピング関係が記憶され、該第二マッピング関係は仮想伝送特徴識別子とターゲット物理層伝送パラメータセットとのマッピング関係であり、該ターゲット物理層伝送パラメータセットは該ターゲットリソースの伝送特徴に対応する。
【０１７２】
該伝送モジュール５０２は、該ＤＣＩに該アップリンク認可リソースに対応する仮想指示情報が含まれる場合、該アップリンク認可リソースが該ターゲットリソースであることを確定することに用いられ、該仮想指示情報は、該アップリンク認可リソースの物理層伝送パラメータ及び該第二マッピング関係に基づいて、該アップリンク認可リソースに対応する仮想伝送特徴識別子を取得するように該ＵＥに指示することに用いられる。
【０１７３】
該ＵＥにおける各ターゲット論理チャネルの設定情報が仮想伝送特徴識別子を含み、該伝送モジュール５０２は、
該仮想指示情報に基づいて、該アップリンク認可リソースの物理層伝送パラメータ及び該第二マッピング関係を基に、該アップリンク認可リソースに対応する仮想伝送特徴識別子を取得することと、
該アップリンク認可リソースに対応する仮想伝送特徴識別子及び該ＵＥにおける各ターゲット論理チャネルの設定情報に基づいて、該アップリンク認可リソースに対応するターゲット論理チャネルを確定することと、
該アップリンク認可リソースを優先的に使用して該アップリンク認可リソースに対応するターゲット論理チャネルにおけるデータを伝送することと、に用いられる。
【０１７４】
該受信モジュール５０１は更に、該基地局がＲＲＣシグナリングにより送信した該第二マッピング関係及び該ＵＥにおける各ターゲット論理チャネルの設定情報を受信することに用いられる。
【０１７５】
本発明の一実施例では、該基地局は該ＵＥにおける各論理チャネルのために優先度を設定し、且つ該基地局がターゲット論理チャネルのために設定した優先度は最高優先度であり、該第一論理チャネルの個数が１以上であり、該伝送モジュール５０２は、
該第一論理チャネルにおける各論理チャネルの優先度を取得することと、
該第一論理チャネルにおいて設定された優先度が最高優先度である論理チャネルは存在する場合、該アップリンク認可リソースが該ターゲットリソースであることを確定することと、
該アップリンク認可リソースを優先的に使用して、該設定された優先度が最高優先度である論理チャネルのデータを伝送することと、に用いられる。
【０１７６】
該受信モジュール５０１は更に、該基地局がＲＲＣシグナリングにより送信した該ＵＥにおける各論理チャネルの優先度を受信することに用いられる。
【０１７７】
本発明の一実施例では、該基地局は該ＵＥにおける各論理チャネルのために優先度及び優先度レート（ＰＢＲ）を設定し、且つ該基地局がターゲット論理チャネルのために設定した優先度は最高優先度であり、設定したＰＢＲは無限大であり、該第一論理チャネルの個数は１以上である。
【０１７８】
該伝送モジュール５０２は、該第一論理チャネルにおける各論理チャネルの優先度及びＰＢＲを取得し、該第一論理チャネルにおいて設定された優先度が最高優先度であり且つＰＢＲが無限大である論理チャネルが存在する場合、該アップリンク認可リソースが該ターゲットリソースであることを確定することに用いられる。
【０１７９】
該伝送モジュール５０２は、
該第一論理チャネルにおける各論理チャネルのトークンバケット時間長さ（ＢＳＤ）を取得することと、
各該第一論理チャネルの優先度、ＰＢＲ及びＢＳＤに基づいて、該アップリンク認可リソースを使用して該第一論理チャネルのデータを伝送することと、に用いられる。
【０１８０】
該受信モジュール５０１は更に、該基地局がＲＲＣシグナリングにより送信した該ＵＥにおける各論理チャネルの優先度、ＰＢＲ及びＢＳＤを受信することに用いられる。
【０１８１】
本発明の一実施例では、該第一論理チャネルが１つのターゲット論理チャネルを含む場合、該伝送モジュール５０２は、
該アップリンク認可リソースのサイズを確定することと、
該アップリンク認可リソースのサイズが該ターゲット論理チャネルにおけるデータのデータ量よりも小さい場合、該ターゲット論理チャネルにおけるデータからターゲットデータを取得して、該アップリンク認可リソースを使用して該ターゲットデータを伝送し、該ターゲットデータのデータ量が該アップリンク認可リソースのサイズと同じであることと、
該アップリンク認可リソースのサイズが該ターゲット論理チャネルにおけるデータのデータ量以上である場合、該アップリンク認可リソースを使用して該ターゲット論理チャネルにおけるすべてのデータを伝送することと、に用いられる。
【０１８２】
該伝送モジュール５０２は、該アップリンク認可リソースのサイズが該ターゲット論理チャネルにおけるデータのデータ量よりも大きい場合、少なくとも１つの残り論理チャネルを確定し、該残り論理チャネルが該第一論理チャネルのうち該ターゲット論理チャネル以外の論理チャネルであり、該少なくとも１つの残り論理チャネルにおける各残り論理チャネルの優先度、ＰＢＲ及びＢＳＤを取得し、各該残り論理チャネルの優先度、ＰＢＲ及びＢＳＤに基づいて、該アップリンク認可リソースを使用して該ターゲット論理チャネルにおけるすべてのデータを伝送する際に該残り論理チャネルにおけるデータを伝送することに用いられる。
【０１８３】
本発明の一実施例では、該第一論理チャネルが少なくとも２つのターゲット論理チャネルを含む場合、該伝送モジュール５０２は、
該少なくとも２つのターゲット論理チャネルにおける各ターゲット論理チャネルの優先度、ＰＢＲ及びＢＳＤを取得することと、
各該ターゲット論理チャネルの優先度、ＰＢＲ及びＢＳＤに基づいて、該少なくとも２つのターゲット論理チャネルにおけるデータがすべて該アップリンク認可リソースで伝送完了されるまで、又は、該アップリンク認可リソースがすべて該少なくとも２つのターゲット論理チャネルにおけるデータに占用されるまで、該アップリンク認可リソースを使用して該少なくとも２つのターゲット論理チャネルにおけるデータを伝送することと、に用いられる。
【０１８４】
以上のように、本発明の実施例によるＵＥは、基地局がＵＥに割り当てたアップリンク認可リソースがターゲットリソースである場合、該アップリンク認可リソースを優先的に使用してターゲット論理チャネルのデータを伝送し、該ターゲット論理チャネルは１つの伝送特徴のみが設定された論理チャネルであり、該ターゲットリソースは対応する伝送特徴とターゲット論理チャネルに設定された伝送特徴とが同じであるアップリンク認可リソースであり、それにより、１つの伝送特徴のみが設定された論理チャネル、即ち一種のアップリンク認可リソースのみでデータをベアリングできる論理チャネルにおけるデータは優先的に伝送されることができ、それにより該一種のアップリンク認可リソースのみでデータをベアリングできる論理チャネルに対応するサービスのサービス品質を確保する。
【０１８５】
図６は本発明の実施例による基地局６０のブロック図であり、図６に示されるように、該基地局６０は送信モジュール６０１を備える。
【０１８６】
該送信モジュール６０１は、ＵＥにＤＣＩを送信することに用いられ、該ＤＣＩは基地局が該ＵＥに割り当てたアップリンク認可リソースを識別することに用いられ、該アップリンク認可リソースが１つの伝送特徴に対応し、該アップリンク認可リソースは第一論理チャネルのデータをベアリングすることに用いられ、該第一論理チャネルに設定された伝送特徴は該アップリンク認可リソースに対応する伝送特徴を含む。
【０１８７】
該ＤＣＩは、該アップリンク認可リソースがターゲットリソースである場合、該アップリンク認可リソースを優先的に使用して該第一論理チャネルにおけるターゲット論理チャネルのデータを伝送するように該ＵＥに指示することに用いられ、該ターゲット論理チャネルは一種の伝送特徴のみが設定された論理チャネルであり、該ターゲットリソースは対応する伝送特徴と該ターゲット論理チャネルに設定された伝送特徴とが同じであるアップリンク認可リソースである。
【０１８８】
本発明の一実施例では、該ＤＣＩに該アップリンク認可リソースに対応するチャネル識別子が含まれ、該チャネル識別子はターゲット論理チャネルを識別することに用いられる。
【０１８９】
本発明の一実施例では、該ＤＣＩは該アップリンク認可リソースの物理層伝送パラメータを含む。
【０１９０】
本発明の一実施例では、該伝送特徴は１つの物理層伝送パラメータセットに対応し、該物理層伝送パラメータセットはＴＴＩ長さ、基礎パラメータセット及びキャリア周波数のうちの少なくとも１つを含む。
【０１９１】
本発明の一実施例では、該送信モジュール５０１は更に、ＲＲＣシグナリングにより該ＵＥに第一マッピング関係及び該ＵＥにおける各論理チャネルの設定情報を送信し、該第一マッピング関係が伝送特徴識別子と物理層伝送パラメータセットとのマッピング関係であり、該ＵＥにおける各論理チャネルの設定情報が伝送特徴識別子を含むことに用いられる。
【０１９２】
本発明の一実施例では、該送信モジュール５０１は更に、ＲＲＣシグナリングにより該ＵＥに第二マッピング関係及び該ＵＥにおける各ターゲット論理チャネルの設定情報を送信し、該第二マッピング関係が仮想伝送特徴識別子とターゲット物理層伝送パラメータセットとのマッピング関係であり、該ターゲット物理層伝送パラメータセットが該ターゲットリソースの伝送特徴に対応し、該ＵＥにおける各ターゲット論理チャネルの設定情報が仮想伝送特徴識別子を含むことに用いられる。
【０１９３】
本発明の一実施例では、該送信モジュール５０１は更に、ＲＲＣシグナリングにより該ＵＥに該ＵＥにおける各論理チャネルの優先度、ＰＢＲ及びＢＳＤを送信することに用いられる。
【０１９４】
以上のように、本発明の実施例による基地局は、ＵＥにＤＣＩを送信し、該ＤＣＩは、基地局がＵＥに割り当てたアップリンク認可リソースがターゲットリソースである場合、該アップリンク認可リソースを優先的に使用してターゲット論理チャネルのデータを伝送するようにＵＥに指示し、該ターゲット論理チャネルは１つの伝送特徴のみが設定された論理チャネルであり、該ターゲットリソースは対応する伝送特徴とターゲット論理チャネルに設定された伝送特徴とが同じであるアップリンク認可リソースであり、それにより、１つの伝送特徴のみが設定された論理チャネル、即ち一種のアップリンク認可リソースのみでデータをベアリングできる論理チャネルにおけるデータは優先的に伝送されることができ、それにより該一種のアップリンク認可リソースのみでデータをベアリングできる論理チャネルに対応するサービスのサービス品質を確保する。
【０１９５】
図７は本発明の実施例によるリソース割り当てシステム７０のブロック図であり、図７に示されるように、該リソース割り当てシステム７０は図５に示されるＵＥ７０１及び図６に示される基地局７０２を備える。
【０１９６】
図８には、本発明の例示的な実施例に係る端末８００のブロック図が示される。該端末８００はプロセッサ８２及びネットワークインタフェース８４を備える。
【０１９７】
プロセッサ８２は１つ又は１つ以上の処理コアを備える。プロセッサ８２はソフトウェアプログラム及びモジュールを実行することにより、各種の機能アプリケーション及びデータ処理を実行する。
【０１９８】
ネットワークインタフェース８４は複数であってもよく、該ネットワークインタフェース８４は他の記憶装置又はネットワーク装置と通信することに用いられる。
【０１９９】
選択肢として、端末８００は更にメモリ８６、バス８８等の部材を備える。メモリ８６及びネットワークインタフェース８４はそれぞれバス８８を介してプロセッサ８２に接続される。
【０２００】
メモリ８６はソフトウェアプログラム及びモジュールを記憶することに用いられてもよい。具体的に、メモリ８６はオペレーティングシステム８６２、少なくとも１つの機能に必要なアプリケーションプログラムモジュール８６４を記憶できる。オペレーティングシステム８６２はリアルタイムオペレーティングシステム（Ｒｅａｌ  Ｔｉｍｅ  ｅＸｅｃｕｔｉｖｅ、ＲＴＸ）、ＬＩＮＵＸ、ＵＮＩＸ（登録商標）、ＷＩＮＤＯＷＳ（登録商標）又はＯＳ  Ｘのようなオペレーティングシステムであってもよい。
【０２０１】
幾つかの実施形態では、ネットワークインタフェース８４は送受信アンテナであってもよい（送信機及び受信機と見なされてもよい）。
【０２０２】
例示的な実施例では、本発明の実施例は更に命令を含む非一時性コンピュータ可読記憶媒体、例えば命令を含むメモリ８６を提供し、上記命令は端末８００のプロセッサ８２で実行されてもよく、それにより上記リソース割り当て方法を完成する。例えば、非一時性コンピュータ可読記憶媒体はＲＯＭ、ランダムアクセスメモリ（ＲＡＭ）、ＣＤ−ＲＯＭ、テープ、フロッピーディスク及び光データ記憶装置等であってもよい。
【０２０３】
図９には、本発明の例示的な実施例に係る基地局９００のブロック図が示される。該基地局９００はプロセッサ９２及びネットワークインタフェース９４を備える。
【０２０４】
プロセッサ９２は１つ又は１つ以上の処理コアを備える。プロセッサ９２はソフトウェアプログラム及びモジュールを実行することにより、各種の機能アプリケーション及びデータ処理を実行する。
【０２０５】
ネットワークインタフェース９４は複数であってもよく、該ネットワークインタフェース９４は他の記憶装置又はネットワーク装置と通信することに用いられる。
【０２０６】
選択肢として、基地局９００は更にメモリ９６、バス９８等の部材を備える。メモリ９６及びネットワークインタフェース９４はそれぞれバス９８を介してプロセッサ９２に接続される。
【０２０７】
メモリ９６はソフトウェアプログラム及びモジュールを記憶することに用いられてもよい。具体的に、メモリ９６はオペレーティングシステム９６２、少なくとも１つの機能に必要なアプリケーションプログラムモジュール９６４を記憶できる。オペレーティングシステム９６２はリアルタイムオペレーティングシステム（Ｒｅａｌ  Ｔｉｍｅ  ｅＸｅｃｕｔｉｖｅ、ＲＴＸ）、ＬＩＮＵＸ、ＵＮＩＸ（登録商標）、ＷＩＮＤＯＷＳ（登録商標）又はＯＳ  Ｘのようなオペレーティングシステムであってもよい。
【０２０８】
幾つかの実施形態では、ネットワークインタフェース９４は送受信アンテナであってもよい（送信機及び受信機と見なされてもよい）。
【０２０９】
例示的な実施例では、本発明の実施例は命令を含む非一時性コンピュータ可読記憶媒体、例えば命令を含むメモリ９６を更に提供し、上記命令は基地局９００のプロセッサ９２で実行されてもよく、それにより上記リソース割り当て方法を完成する。例えば、非一時性コンピュータ可読記憶媒体はＲＯＭ、ランダムアクセスメモリ（ＲＡＭ）、ＣＤ−ＲＯＭ、テープ、フロッピーディスク及び光データ記憶装置等であってもよい。
【０２１０】
例示的な実施例では、コンピュータ可読記憶媒体を更に提供し、該コンピュータ可読記憶媒体は不揮発性記憶媒体であってもよく、該コンピュータ可読記憶媒体にコンピュータプログラムが記憶され、該コンピュータ可読記憶媒体におけるコンピュータプログラムがプロセッサで実行される場合、無線通信方法を実行できる。例えば、該方法は、基地局が送信したダウンリンク制御情報（ＤＣＩ）を受信し、該ＤＣＩは該基地局がユーザー装置（ＵＥ）に割り当てたアップリンク認可リソースを識別することに用いられ、該アップリンク認可リソースが１つの伝送特徴に対応し、該アップリンク認可リソースは第一論理チャネルのデータをベアリングすることに用いられ、該第一論理チャネルに設定された伝送特徴は該アップリンク認可リソースに対応する伝送特徴を含むことと、該アップリンク認可リソースがターゲットリソースである場合、該アップリンク認可リソースを優先的に使用して該第一論理チャネルにおけるターゲット論理チャネルのデータを伝送することと、を含む方法であってもよく、該ターゲット論理チャネルは１つの伝送特徴のみが設定された論理チャネルであり、該ターゲットリソースは対応する伝送特徴と該ターゲット論理チャネルに設定された伝送特徴とが同じであるアップリンク認可リソースである。又は、該方法は、ＵＥにＤＣＩを送信し、該ＤＣＩは基地局が該ＵＥに割り当てたアップリンク認可リソースを識別することに用いられ、該アップリンク認可リソースが１つの伝送特徴に対応し、該アップリンク認可リソースが第一論理チャネルのデータをベアリングすることに用いられ、該第一論理チャネルに設定された伝送特徴が該アップリンク認可リソースに対応する伝送特徴を含むことと、該ＤＣＩは、該アップリンク認可リソースがターゲットリソースである場合、該アップリンク認可リソースを優先的に使用して該第一論理チャネルにおけるターゲット論理チャネルのデータを伝送するように該ＵＥに指示することに用いられることと、を含む方法であってもよく、該ターゲット論理チャネルは一種の伝送特徴のみが設定された論理チャネルであり、該ターゲットリソースは対応する伝送特徴と該ターゲット論理チャネルに設定された伝送特徴とが同じであるアップリンク認可リソースである。
【０２１１】
例示的な実施例では、命令を含むコンピュータプログラム製品を更に提供し、それが端末において実行される場合、該端末に上記実施例においてＵＥが実行したリソース割り当て方法を実行させることができ、又は、それが基地局において実行される場合、基地局に上記実施例において基地局が実行したリソース割り当て方法を実現させることができる。
【０２１２】
当業者であれば、説明を容易で簡単にするために、上記説明されるシステム、装置及びモジュールの具体的な動作過程については、上記方法実施例における対応過程を参照してもよく、ここで繰り返して説明しないことを明確に理解できる。
【０２１３】
当業者であれば、上記実施例の全部又は一部のステップの実現は、ハードウェアにより完成されてよく、プログラムで関連するハードウェアを命令することにより完成されてもよく、前記プログラムがコンピュータ可読記憶媒体に記憶されてもよく、以上に言及された記憶媒体が読み出し専用メモリ、ディスク又は光ディスク等であってもよい。
【０２１４】
上記は、本発明の好適な実施例にすぎず、本発明を制限するものではなく、本発明の精神及び原則内で行われた修正、等価置換、改良等は、いずれも本発明の保護範囲に含まれるべきである。
【図１】
2020536401.tif 000012
【図２】
2020536401.tif 000013
【図３】
2020536401.tif 000014
【図４】
2020536401.tif 000015
【図５】
2020536401.tif 000016
【図６】
2020536401.tif 000017
【図７】
2020536401.tif 000018
【図８】
2020536401.tif 000019
【図９】
2020536401.tif 000020
【手続補正書】
【提出日】令和2年8月5日(2020.8.5)
【手続補正１】
【補正対象書類名】明細書
【補正対象項目名】００９１
【補正方法】変更
【補正の内容】
【００９１】
５Ｇ通信システムにおいて、各アップリンク認可リソースはいずれも１つのＴＰに対応でき、且つ、アップリンク認可リソースの各物理層伝送パラメータとそれに対応するＴＰに対応する物理層伝送パラメータセットに含まれる物理層伝送パラメータとは同一である。例えば、表１に示されるように、あるアップリンク認可リソースのサブキャリア間隔が１５ＫＨｚであり、ＴＴＩ長さが１ｍｓであり、キャリア周波数がＦｒｅｑ＿１であると、該アップリンク認可リソースに対応するＴＰはＴＰ  ｕである。
【手続補正２】
【補正対象書類名】明細書
【補正対象項目名】０１０７
【補正方法】変更
【補正の内容】
【０１０７】
例えば、ＵＥがＤＣＩを受信した後にＤＣＩから取得したアップリンク認可リソースの物理層伝送パラメータは、サブキャリア間隔が１５ＫＨｚであり、ＴＴＩ長さが１ｍｓであり、キャリア周波数がＦｒｅｑ＿１であることを含み、表１を検索することにより、ＵＥは基地局がＵＥに割り当てたアップリンク認可リソースに対応するＴＰ識別子がＴＰ  ｕであることを確定できる。
【手続補正３】
【補正対象書類名】明細書
【補正対象項目名】０１２５
【補正方法】変更
【補正の内容】
【０１２５】
例えば、ＵＥがＤＣＩを受信した後にＤＣＩから取得したアップリンク認可リソースの物理層伝送パラメータは、サブキャリア間隔が１５ＫＨｚであり、ＴＴＩ長さが１ｍｓであり、キャリア周波数がＦｒｅｑ＿１であることを含み、且つ、ＵＥがＤＣＩから仮想指示情報を検出すると、ＵＥは該仮想指示情報の指示で、表２を検索することにより基地局がＵＥに割り当てたアップリンク認可リソースに対応する仮想ＴＰ識別子がＴＰ  ｕ１であることを確定できる。
【手続補正４】
【補正対象書類名】特許請求の範囲
【補正対象項目名】全文
【補正方法】変更
【補正の内容】
【特許請求の範囲】
【請求項１】
基地局が送信したダウンリンク制御情報（ＤＣＩ）を受信し、前記ＤＣＩは前記基地局がユーザー装置（ＵＥ）に割り当てたアップリンク認可リソースを識別することに用いられ、前記アップリンク認可リソースが１つの伝送特徴に対応し、前記アップリンク認可リソースは第一論理チャネルのデータをベアリングすることに用いられ、前記第一論理チャネルに設定された伝送特徴は前記アップリンク認可リソースに対応する伝送特徴を含むことと、
前記アップリンク認可リソースがターゲットリソースである場合、前記アップリンク認可リソースを優先的に使用して前記第一論理チャネルにおけるターゲット論理チャネルのデータを伝送することと、を含み、
前記ターゲット論理チャネルは１つの伝送特徴のみが設定される論理チャネルであり、前記ターゲットリソースは対応する伝送特徴と前記ターゲット論理チャネルに設定された伝送特徴とが同じであるアップリンク認可リソースであることを特徴とするリソース割り当て方法。
【請求項２】
前記ＤＣＩに前記アップリンク認可リソースに対応するチャネル識別子が含まれる場合、前記アップリンク認可リソースが前記ターゲットリソースであることを確定することを更に含み、
前記チャネル識別子はターゲット論理チャネルを識別することに用いられることを特徴とする請求項１に記載の方法。
【請求項３】
前記アップリンク認可リソースを優先的に使用して前記第一論理チャネルにおけるターゲット論理チャネルのデータを伝送することは、
前記アップリンク認可リソースを優先的に使用して、前記チャネル識別子によって識別されたターゲット論理チャネルにおけるデータを伝送することを含むことを特徴とする請求項２に記載の方法。
【請求項４】
前記ＤＣＩが前記アップリンク認可リソースの物理層伝送パラメータを含み、前記方法は更に、
前記ＤＣＩに基づいて前記アップリンク認可リソースの物理層伝送パラメータを取得することと、
前記アップリンク認可リソースの物理層伝送パラメータに基づいて、前記アップリンク認可リソースが前記ターゲットリソースであるかどうかを判断することと、を含むことを特徴とする請求項１に記載の方法。
【請求項５】
前記伝送特徴が１つの物理層伝送パラメータセットに対応し、前記ＵＥに第一マッピング関係が記憶され、前記第一マッピング関係が伝送特徴識別子と物理層伝送パラメータセットとのマッピング関係であり、前記ＵＥにおける各論理チャネルの設定情報が伝送特徴識別子を含み、前記アップリンク認可リソースの物理層伝送パラメータに基づいて前記アップリンク認可リソースが前記ターゲットリソースであるかどうかを判断することは、
前記アップリンク認可リソースの物理層伝送パラメータ及び前記第一マッピング関係に基づいて、前記アップリンク認可リソースに対応する伝送特徴識別子を取得することと、
前記アップリンク認可リソースに対応する伝送特徴識別子及び前記ＵＥにおける各論理チャネルの設定情報に基づいて、前記アップリンク認可リソースに対応する論理チャネルを取得することと、
前記アップリンク認可リソースに対応する論理チャネルがターゲット論理チャネルを含むかどうかを判断することと、
前記アップリンク認可リソースに対応する論理チャネルがターゲット論理チャネルを含む場合、前記アップリンク認可リソースが前記ターゲットリソースであることを確定することと、を含むことを特徴とする請求項４に記載の方法。
【請求項６】
前記アップリンク認可リソースを優先的に使用して前記第一論理チャネルにおけるターゲット論理チャネルのデータを伝送することは、
前記アップリンク認可リソースを優先的に使用して、前記アップリンク認可リソースに対応するターゲット論理チャネルにおけるデータを伝送することを含むことを特徴とする請求項５に記載の方法。
【請求項７】
前記基地局が無線リソース制御（ＲＲＣ）シグナリングにより送信した前記第一マッピング関係及び前記ＵＥにおける各論理チャネルの設定情報を受信することを更に含むことを特徴とする請求項５に記載の方法。
【請求項８】
前記物理層伝送パラメータセットは基礎パラメータセット、伝送時間間隔（ＴＴＩ）長さ及びキャリア周波数のうちの少なくとも１つを含むことを特徴とする請求項５に記載の方法。
【請求項９】
ＵＥであって、
基地局が送信したＤＣＩを受信することに用いられ、前記ＤＣＩは前記基地局が前記ＵＥに割り当てたアップリンク認可リソースを識別することに用いられ、前記アップリンク認可リソースが１つの伝送特徴に対応し、前記アップリンク認可リソースが第一論理チャネルのデータをベアリングすることに用いられ、前記第一論理チャネルに設定された伝送特徴は前記アップリンク認可リソースに対応する伝送特徴を含む受信モジュールと、
前記アップリンク認可リソースがターゲットリソースである場合、前記アップリンク認可リソースを優先的に使用して前記第一論理チャネルにおけるターゲット論理チャネルのデータを伝送することに用いられる伝送モジュールと、を備え、
前記ターゲット論理チャネルは１つの伝送特徴のみが設定される論理チャネルであり、前記ターゲットリソースは対応する伝送特徴と前記ターゲット論理チャネルに設定された伝送特徴とが同じであるアップリンク認可リソースであることを特徴とするＵＥ。
【請求項１０】
前記伝送モジュールは、前記ＤＣＩに前記アップリンク認可リソースに対応するチャネル識別子が含まれる場合、前記アップリンク認可リソースが前記ターゲットリソースであることを確定することに用いられ、
前記チャネル識別子はターゲット論理チャネルを識別することに用いられることを特徴とする請求項９に記載のＵＥ。
【請求項１１】
前記伝送モジュールは、前記アップリンク認可リソースを優先的に使用して、前記チャネル識別子が識別したターゲット論理チャネルにおけるデータを伝送することに用いられることを特徴とする請求項１０に記載のＵＥ。
【請求項１２】
前記ＤＣＩが前記アップリンク認可リソースの物理層伝送パラメータを含み、前記伝送モジュールは、
前記ＤＣＩに基づいて前記アップリンク認可リソースの物理層伝送パラメータを取得することと、
前記アップリンク認可リソースの物理層伝送パラメータに基づいて前記アップリンク認可リソースが前記ターゲットリソースであるかどうかを判断することと、に用いられることを特徴とする請求項９に記載のＵＥ。
【請求項１３】
前記伝送特徴が１つの物理層伝送パラメータセットに対応し、前記ＵＥに第一マッピング関係が記憶され、前記第一マッピング関係が伝送特徴識別子と物理層伝送パラメータセットとのマッピング関係であり、前記ＵＥにおける各論理チャネルの設定情報が伝送特徴識別子を含み、前記伝送モジュールは、
前記アップリンク認可リソースの物理層伝送パラメータ及び前記第一マッピング関係に基づいて、前記アップリンク認可リソースに対応する伝送特徴識別子を取得することと、
前記アップリンク認可リソースに対応する伝送特徴識別子及び前記ＵＥにおける各論理チャネルの設定情報に基づいて、前記アップリンク認可リソースに対応する論理チャネルを取得することと、
前記アップリンク認可リソースに対応する論理チャネルがターゲット論理チャネルを含むかどうかを判断することと、
前記アップリンク認可リソースに対応する論理チャネルがターゲット論理チャネルを含む場合、前記アップリンク認可リソースが前記ターゲットリソースであることを確定することと、に用いられることを特徴とする請求項１２に記載のＵＥ。
【請求項１４】
前記伝送モジュールは、前記アップリンク認可リソースを優先的に使用して、前記アップリンク認可リソースに対応するターゲット論理チャネルにおけるデータを伝送することに用いられ、
或いは、
前記受信モジュールは更に、
前記基地局が無線リソース制御（ＲＲＣ）シグナリングにより送信した前記第一マッピング関係及び前記ＵＥにおける各論理チャネルの設定情報を受信することに用いられることを特徴とする請求項１３に記載のＵＥ。
【請求項１５】
前記物理層伝送パラメータセットは基礎パラメータセット、伝送時間間隔（ＴＴＩ）長さ及びキャリア周波数のうちの少なくとも１つを含むことを特徴とする請求項１３に記載のＵＥ。
【手続補正５】
【補正対象書類名】図面
【補正対象項目名】図４
【補正方法】変更
【補正の内容】
【図４】
2020536401.tif 000021
【国際調査報告】
2020536401.tif 000022
2020536401.tif 000023
2020536401.tif 000024
2020536401.tif 000025